(57)【要約】      （修正有）【課題】データ被引用者はデータ引用者に、引用の許諾を明示できるデータ引用システムを提供する。【解決手段】サーバー４は、記憶手段５から請求されたデータを読み出して、データが、データ引用者１１が作成したデータであるかを判断するステップと、データが、データ引用者１１が作成したデータである場合に、データが、引用データであるかを判断するステップと、データが引用データである場合に、記憶手段５から引用許諾データを読み出して、データ引用者１１に対して引用されることについて同意するものであるかを判断するステップと、同意するものである場合に、データ被引用者１２が作成した被引用データの全部又は一部を記憶手段５から読み出すステップと、引用データ内に、上記データ被引用者１２が作成した被引用データの全部又は一部を挿入或いは置換して外部に出力するステップと、を備えてなる。【選択図】図１
2006120016.tif 000002
【特許請求の範囲】
【請求項１】
データ被引用者が作成した被引用データと、データ引用者が作成するとともに上記被引用データの全部又は一部の引用箇所が特定された引用データと、上記データ引用者からデータ被引用者に送信された引用申込データに応じてデータ被引用者からデータ引用者に送信された引用許諾データと、が記憶される記憶手段と、
この記憶手段に接続されるとともにネットワークとの接続手段を有するサーバーと、
このサーバーにネットワークを介して接続されるデータ引用者及びデータ被引用者並びにその他のデータ請求者が操作するコンピュータと、
を備え、
上記サーバーは、
ネットワークを介して外部から上記記憶手段からの出力を請求されたデータを読み出して、該データが、上記データ引用者が作成したデータであるかを判断するステップと、
上記読み出したデータが、上記データ引用者が作成したデータである場合に、該データが、上記引用データであるかを判断するステップと、
上記データ引用者が作成したデータが上記引用データである場合に、上記記憶手段からデータ被引用者が入力した上記引用許諾データを読み出して、該引用許諾データが、データ引用者に対して引用されることについて同意するものであるかを判断するステップと、
読み出した上記引用許諾データが、データ引用者に対して引用されることについて同意するものである場合に、上記データ被引用者が作成した被引用データの全部又は一部を記憶手段から読み出すステップと、
上記引用データ内に、上記データ被引用者が作成した被引用データの全部又は一部を挿入或いは置換して外部に出力するステップと、
を備えてなることを特徴とするデータ引用システム。
【請求項２】
前記サーバーは、
前記引用データを作成するデータ引用者により、引用を希望する被引用データを作成したデータ被引用者と、該データ被引用者が作成した被引用データの引用を希望する旨の引用申込データとがコンピュータにより入力されることを条件に、この入力された引用申込データを、データ被引用者にネットワークを介して送信するとともに前記記憶手段に入力するステップと、
上記データ被引用者により、上記送信された引用申込データに基づいて、該データ被引用者が、自己の被引用データが引用されることに同意し又は同意しない旨を内容とする引用許諾データを、コンピュータにより入力することを条件に、該引用許諾データを前記記憶手段に入力するステップと、
を有してなることを特徴とする請求項１記載のデータ引用システム。
【発明の詳細な説明】
【技術分野】
【０００１】
本発明は、ネットワークを介した外部からの請求により記憶手段からデータを外部に出力するサーバーとその他のコンピュータからなるシステムであって、特に、あるデータを出力する際に、そのあるデータの中に他のデータを引用して挿入或いは置換するデータ引用システムに関するものである。
【背景技術】
【０００２】
従来より、インターネットでブラウザに表示されるウェブページのデータやダウンロード可能なアプリケーション，画像或いは音声等のデータは、サーバーに接続された記憶手段内に保存されており、ネットワークを介した外部からの請求により、サーバーは記憶手段内よりデータを取り出し、ネットワークを介して外部に出力する。すなわち、例えばウェブページの閲覧やデータのダウンロードをする者が、自己のコンピュータを操作して、閲覧を希望するウェブページのデータやダウンロードしたいデータのインターネット上での所在地であるＵＲＬを、ブラウザのお気に入りやウェブページのハイパーリンク（以下、リンクと略する。）の表示をクリックして入力することによりサーバーに対して出力を請求し、サーバーは、記憶手段からＨＴＴＰプロトコルによるウェブページのデータやＦＴＰプロトコルによるダウンロードしたいデータ等を閲覧する者のコンピュータに出力し、ブラウザ上にウェブページが表示され、或いは、データのダウンロードがされる。このようにしてサーバーにより記憶手段から出力されるウェブページのデータ等は、このデータの作成者が予めサーバーを介して記憶手段内にデータを入力（アップロード）するものであって、外部からの請求により出力されるデータは、上記データの作成者が予め作成して上記記憶手段内に入力したものと同一のものである。したがって、データの作成者が、他者が作成したデータを引用したデータを作成する場合、例えば、他者が作成したウェブページ上の文書のデータについて、この他者の文書を引用した上で該文書に関する批評等の文書を書く場合には、この他者の書いたウェブページ上の文書のデータの中から必要な箇所をコピーし、このコピーした他者のデータを自己のデータ内に引用（ペースト）して引用した新規なウェブページ用のデータを作成し、この新規なデータをサーバーを介して記憶手段内に入力する。このように、自己のデータ内に他者のデータをコピーして引用して新規なデータとした場合には、サーバーは、自己のデータとコピーした他者のデータの両者を一度に同一のウェブページ内に出力（同一の自己のウェブページ内にて自己及び他者の文書が一度に表示）することが可能となり、自己と他者との文書の内容の対比をしながら第三者に読まれるような場合には、非常に便利なものとなる。同様に、他者のウェブページを丸ごと全て自己のウェブページ内に表示させることも可能である。これは、自己のウェブページの表示のための文書内に、該自己のウェブページ内のフレームと呼ばれる特定の範囲を作成し、そのフレームの中に他者のウェブページのデータを該他者の用いているサーバーを介して直接表示させる方法によるものであり、この場合にも、自己のウェブページ内に他者のページを一度に表示することが可能となり、自己と他者の文書の内容を対比しながら第三者に読まれるような場合には非常に便利なものとなる。また、他者のウェブページの内容をコピーして引用できない場合（例えば、該他者がウェブページ上の記載のコピーを禁止しているような場合）には、データの作成者は該他者の文書が書かれたウェブページのＵＲＬへのリンクをウェブページ上に作成し、引用に替えてこのリンクを用いることによって、自己と他者のウェブページを表示し易いものとし、これら２つのウェブページを互いに参照し易いものとする。
【０００３】
また、近年では特別なプログラムをサーバーに入力して運営するウェブログと呼ばれるウェブページがある。このウェブログとは、一般的には、そのウェブログのウェブページの記載についての他者がコメントを記載して表示できる箇所と、ある者が他者の運営する同種のウェブログのページへのリンクをそのある者のウェブページ上に作成すると同時に、そのウェブログで引用された他者のウェブログのウェブページ上に、そのある者により引用されたことを示すリンク（いわば逆リンクであって、トラックバックと呼ばれている）を作成することを特徴とするものである。したがって、このウェブログによれば、全くの第三者からのコメントが得られやすい上に、このような引用する者と引用される者との間とのリンクがプログラムにより容易に形成される仕組みとされていることから、同種のウェブログのウェブページを運営する者同士であれば、自己のウェブページが誰にリンク（引用）されているかを容易に把握することができ、誰もが自身と他者とのウェブページの記載内容をリンクを介して互いに表示し易いものとなり、一つの話題についてより深く話を進めることが可能である。
【発明の開示】
【発明が解決しようとする課題】
【０００４】
しかしながら、上記のように自己のウェブページ内に他者のデータをコピーして引用した新規なデータを作成し、この新規なデータをサーバーを介して記憶手段に入力することは、この作業自体に手間がかかる。また、その引用した他者のデータの内容に変更があったときには、その内容の変更が自己のウェブページの記載内容に反映されることが当然無いことから、その内容に変更があった他者のデータを再度コピーして引用して新たにデータを作成する必要があり、引用するデータを表示する際に引用されるデータの変更に応じて動的に引用するデータが変更されて出力されるシステムがあれば、非常に便利なものとなる。また、自己のウェブページ上に、フレームを用いて他者のホームページのデータを丸ごと全て表示することは、事前に了解を得ていない限りはウェブページ作成の上でのマナーの点で問題がある。また、フレームを用いる事無く、上記のウェブログも含め、他者のウェブページへのリンクを用いて互いに表示しあう構成とした場合には、一つのウェブページ上で両者のデータの表示を完結させることはできず、自己と他者の意見を比較する際にそれぞれウェブページのリンクをその都度辿って参照する必要があり、不便である。したがって、データを引用する者がデータを引用したデータを容易に作成する事ができると同時に、データの引用先からデータを引用することについての許諾を得ることについても容易にできる方法を提供する事ができれば、この方法により作られたウェブページはウェブページの作成上のマナーにかなったものであるとともに、データを引用する者とデータを引用される者との間に将来的により良い人間関係を形成することができる。
【０００５】
そこで、本発明は、上記従来のインターネット上でのデータを引用する方法について有する課題を解決するために提案されたものであって、データ被引用者が作成したデータを容易にデータ引用者が作成したデータの中に引用した上で外部に出力することができるとともに、そのデータ被引用者はデータ引用者に対して、引用の許諾を明示することができるデータ引用システムを提供することを目的とするものである。
【課題を解決するための手段】
【０００６】
本発明は、上記課題を解決するために提案されたものであって、第１の発明（請求項１記載の発明）は、データ被引用者が作成した被引用データと、データ引用者が作成するとともに上記被引用データの全部又は一部の引用箇所が特定された引用データと、上記データ引用者からデータ被引用者に送信された引用申込データに応じてデータ被引用者からデータ引用者に送信された引用許諾データと、が記憶される記憶手段と、この記憶手段に接続されるとともにネットワークとの接続手段を有するサーバーと、このサーバーにネットワークを介して接続されるデータ引用者及びデータ被引用者並びにその他のデータ請求者が操作するコンピュータと、を備え、上記サーバーは、ネットワークを介して外部から上記記憶手段からの出力を請求されたデータを読み出して、該データが、上記データ引用者が作成したデータであるかを判断するステップと、上記読み出したデータが、上記データ引用者が作成したデータである場合に、該データが、上記引用データであるかを判断するステップと、上記データ引用者が作成したデータが上記引用データである場合に、上記記憶手段からデータ被引用者が入力した上記引用許諾データを読み出して、該引用許諾データが、データ引用者に対して引用されることについて同意するものであるかを判断するステップと、読み出した上記引用許諾データが、データ引用者に対して引用されることについて同意するものである場合に、上記データ被引用者が作成した被引用データの全部又は一部を記憶手段から読み出すステップと、上記引用データ内に、上記データ被引用者が作成した被引用データの全部又は一部を挿入或いは置換して外部に出力するステップと、を備えてなることを特徴とするデータ引用システムである。
【０００７】
この第１の発明において、被引用データ及び引用データの種類は、何れも、ウェブページのデータに限られるものではなく、画像，動画或いは音声等のデータであっても良い。すなわち、引用データ及び被引用データが共にウェブページのデータである場合には、本システムのサーバーは、引用データ内に被引用データの全部又は一部を挿入或いは置換（以下、挿入等という。）した一つのウェブページのデータとした上で出力し、引用データ内に被引用データが挿入等された状態でブラウザに表示されるものとなり、また、該引用データがローカルのコンピュータ上でワードプロセッサやエディタ等のソフトウェアで扱われるダウンロード可能な文書データのファイルであっても、該引用データ内に被引用データが挿入等されたファイルとして出力する。また、引用データが文書のデータであって被引用データが画像のデータである場合には、本システムのサーバーは、引用データの文書内に被引用データの画像を挿入等した一つの文書とした上で出力し、該引用データがウェブページのデータである場合には、引用データの文書内に被引用データの画像が挿入等された状態でブラウザに表示されるものとなり、また、該引用データがローカルのコンピュータ上でワードプロセッサやエディタ等により開かれるファイルであっても、該引用データの文書内に被引用データの画像が挿入等されたファイルとして出力する。なお、引用データ及び被引用データが共に画像のデータである場合にも、引用データの画像上に被引用データが挿入等されるものとしても良く、また、引用データが動画のデータであって被引用データが音声のデータとされて、動画のＢＧＭとしてＭＰ３やＡＡＣ等の形式の音声データが被引用データに挿入等されても良く、また、引用データがＭＰ３等の音声データである場合に、該音声データの曲名等のタグをテキストデータとして被引用データとして挿入等するとともに、該音声データ内にその音声データが元々収められていたＣＤのジャケット等の画像データを被引用データとして挿入等するものとしても良い。また、上記の被引用データを特定するデータは、個々の被引用データを各データ固有のＩＤや該被引用データのファイル名を変数（パラメータ）として一意に特定するものとしてもよいが、このように必ずしも一つの被引用データが一意に一つの被引用データと対応するものとして限定されるものではない。すなわち、キーワードとなる文字列を変数として指定することにより、サーバーは、この変数を被引用データのファイル名の文字列やファイルの中身の文字列として有する被引用データを記憶手段にて検索し、該当する被引用データを出力するものとしても良い。なお、このように変数を指定して検索して出力する場合には、この変数としては、動画，静止画或いは音声等のファイルの種類や、ＭＩＭＥ又は拡張子により指定される各ファイルの内容の種類や、ファイルのサイズ或いは作成日等の被引用データ固有のデータを用いても良く、或いは、該被引用データが記憶手段内に入力された入力日や入力済みの被引用データが更新された回数や該被引用データの最終更新日等の任意に定めた識別子を用いても良い。なお、このように被引用データが複数指定された場合や、検索の結果複数の被引用データが該当した場合には、これら指定或いは該当した被引用データの全部を引用データ内に挿入等するものとしても良く、これら指定或いは該当した被引用データの中から予め定められた規則に従い一部の被引用データのみを引用データ内に挿入等するものとしても良く、或いは、これら指定或いは該当した被引用データの中から引用データ内に挿入等する被引用データの全部又は一部をデータ被引用者が任意に選択することができるものとしても良い。また、このように指定或いは該当した一つ一つの被引用データについては、この一つの被引用データ全てを引用するものとしても良く、該被引用データの中から一部の範囲のみを特に指定して引用するものとしても良い。このように被引用データの中から全部又は一部の引用箇所を特定するデータとしては、被引用データが文書であれば、引用する箇所の始点と終点を特定するもの、引用する箇所の始点と引用する文字数を特定するもの、或いは文書の全てにわたって引用箇所と特定するものであっても良い。また、被引用データが動画や音声のデータであれば、その動画や音声の中での時間の範囲で始点と終点を特定したり、或いは、ビットレート等の単位時間当たりのデータの伝送量の変化量により始点と終点を特定しても良く、また、被引用データが画像であれば、その画像の中の一部を範囲を特定したり、或いは、明度の変化量等の該画像内での特徴により自動的に作られた範囲によりデータの一部を特定しても良い。また、記憶手段内の引用申込データは、引用を申し込まれるデータ被引用者が作成した複数のデータの内、全部のデータを対象としても良く、或いは、該データ被引用者が作成した複数のデータの中から特定のデータのみを引用の申し込みの対象としても良く、更に、特定のデータの中の内の特定の範囲のみを対象としてもよい。同様に、記憶手段内の引用許諾データは、引用を申し込まれたデータ被引用者が作成した複数のデータの内、全部のデータを対象としても良く、該データ被引用者が作成した複数のデータの中から特定のデータのみを引用の許諾の対象としても良く、更に、特定のデータの中から更に特定の範囲のみを限定して引用の許諾の対象としてもよい。また、上記のサーバーは、記憶手段と接続されるとともに、ネットワークを介して外部のデータ引用者，データ被引用者或いはこれらデータ引用者，データ被引用者以外のデータを請求するデータ請求者等の第三者のコンピュータへと接続がされており、これらインターネットやイントラネット等のネットワークを介して外部のコンピュータからの請求を入力し、また、これらインターネットやイントラネット等のネットワークを介して外部のコンピュータへのデータの出力を行う。また、上記サーバーと記憶手段との接続は、互いに直接接続されるものでなく、更に中間に他の一又は複数のサーバーを介してネットワークによって接続されるものであっても良い。すなわち、記憶手段からデータ引用者等の外部の者にデータの出力をする際に該データが必ず一旦サーバーを介した後に外部へ出力されるものとされており、サーバー及び記憶手段は上記の働きをするものであれば、それぞれ別個の独立したコンピュータであっても良い。なお、ここにいうネットワークという概念には、インターネットのように不特定の者が参加するネットワークや、特にイントラネットを含むＬＡＮやＷＡＮ等の限定された者のみが参加するネットワーク等の何れもが含まれるものであり、コンピュータ同士が接続された通信網として広義な意味に用いられているものである。
【０００８】
また、第２の発明（請求項２記載の発明）は、上記第１の発明において、上記サーバーは、上記引用データを作成するデータ引用者により、引用を希望する被引用データを作成したデータ被引用者と、該データ被引用者が作成した被引用データの引用を希望する旨の引用申込データとがコンピュータにより入力されることを条件に、この入力された引用申込データを、データ被引用者にネットワークを介して送信するとともに前記記憶手段に入力するステップと、上記データ被引用者により、上記送信された引用申込データに基づいて、該データ被引用者が、自己の被引用データが引用されることに同意し又は同意しない旨を内容とする引用許諾データを、コンピュータにより入力することを条件に、該引用許諾データを前記記憶手段に入力するステップと、を有してなることを特徴とするものである。
【０００９】
このデータ引用者は、作成する引用データ内に複数のデータ被引用者が作成した複数の被引用データを引用する引用データを作成する場合には、これら複数のデータ被引用者に対して一度に被引用データの引用を希望する旨の引用申込データを入力できるものとされても良く、或いは、引用申込データは一度に一人のデータ被引用者に対してのみ引用申込データを入力することができるものとしても良い。また、このデータ引用者は、作成する引用データ内にあるデータ被引用者が作成した複数又は全部の被引用データを引用する引用データを作成する場合には、このデータ被引用者に対して一度に複数又は全部の被引用データの引用を希望する旨の引用申込データを入力できるものとされても良く、或いは、引用申込データは一度に一人のデータ被引用者に対して一つの引用申込データのみを入力することができるものとしても良い。また、データ被引用者が上記引用申込データに対して入力する引用許諾データは、データ引用者が引用することに対して同意し又は同意しない旨のものとすることができるが、引用許諾データを同意とする場合において、データ引用者が引用を希望する被引用データが複数有る場合には、全ての引用の希望に対して同意することや、これら複数の被引用データの内の一部についてのみ同意することや、或いは、一定期間についてのみ期限付きで同意する（或いは同意しない）ことができるものとしても良い。また、データ被引用者が引用許諾データを同意しないとする場合には、引用申し込みに対して不許可とするもの、引用申し込みに対する不許可に加えて、今後データ引用者がデータ被引用者に対して引用申込データを送信すること自体をサーバーが拒否する設定とすることを伴うもの、或いは、一定期間にわたり判断を保留とするもの等を選択肢として加えても良い。また、サーバーが引用申込データをデータ被引用者に対して送信する方法としては、本発明のデータ引用システムを構成するサーバーに付随する電子メールやインスタントメッセンジャーによりネットワークを介して送信するものとしても良く、或いは、本発明のデータ引用システムを使用する者がコンピュータを用いて本システムにログインした際に、自動的に該コンピュータに対して送信されると共に、その旨が引用許諾データを入力するための画面と共に該コンピュータによるディスプレイ表示により通知されるものとしても良い。
【発明の効果】
【００１０】
第１の発明（請求項１記載の発明）では、データ引用者が作成した引用データ内にはデータ被引用者が作成した被引用データからの引用箇所が特定されており、外部からの請求によりサーバーから引用データを出力する際には、該引用箇所に被引用データの全部又は一部を挿入或いは置換した後に外部へと出力することから、データ引用者が自己のデータ内にデータ被引用者の被引用データを引用することが非常に容易なものとなる。また、サーバーが外部に引用データを出力する際に被引用データの全部又は一部を挿入或いは置換することから、出力する引用データ内に引用される被引用データは、常にサーバーから出力する時点での被引用データが挿入或いは置換され、いわば最新の被引用データが動的に挿入或いは置換されることとなることから、データ引用者は、データ被引用者の被引用データの変更に応じて新たな引用データを作成して入力する必要が無い。また、このようにサーバーは引用データ内に被引用データが挿入或いは置換されて出力することから、この引用データがウェブページのデータである場合には、データ引用者とデータ被引用者のデータ（文書）が同一ページ内に表示されることとなり、データ引用者とデータ被引用者のデータ（文書）の内容を対比しながら読まれるような場合には非常に便利なものとなる。更に、この第１の発明のシステムによって引用データ内に被引用データが挿入或いは置換されて出力されるのは、常にデータ被引用者によって引用されることについて同意が有る場合のみであることから、データ作成上のマナーにかなったものとなる。
【００１１】
第２の発明（請求項２記載の発明）では、第１の発明のデータ引用システムにおいて、データ引用者はデータ被引用者に対して引用申込データを送信するとともに、データ被引用者はデータ引用者に対して引用許諾データを入力することができることから、第１の発明の引用申込データ及び引用許諾データの送信及び入力の為にわざわざこのデータ引用システムと別の電子メールやインスタントメッセンジャーを用いる必要が無くなるとともに、データ引用者及びデータ被引用者が入力した引用申込データ及び引用許諾データをこのデータ引用システム内で容易に管理することができる。
【発明を実施するための最良の形態】
【００１２】
以下、本発明に係るデータ引用システムについて、実施例を挙げて詳細に説明する。
【００１３】
この実施の形態に係るデータ引用システム（以下、本システムという。）１は、図１に示す構成とされており、データ引用者１１，データ被引用者１２，システム管理者１３及びデータ請求者１４が参加するものである。これら四者の内、データ引用者１１はコンピュータ２を所有し、データ被引用者１２はコンピュータ３をそれぞれ所有し、システム管理者１３はサーバー４及び記憶手段５を管理し、データ請求者１４はコンピュータ６を所有しており、データ引用者１１，データ被引用者１２，システム管理者１３及びデータ請求者１４は、各自がそれぞれコンピュータ３，６，サーバー４及び記憶手段５を管理及び操作をし、インターネット７を介してデータを出力，入力或いは請求をそれぞれ行う。すなわち、データ引用者１１はコンピュータ２を用いてデータ１５（後述するように、引用データ１６を含む）を作成し、該データ１５をサーバー４を介して記憶手段５に入力する。また、データ被引用者１２も同様に、コンピュータ３を用いてデータを作成し、該データをサーバー４を介して記憶手段５に入力する。なお、このデータ被引用者１２が作成するデータは、特にデータ引用者１１に引用されるものである事から、以下被引用データ１７とする。また、データ引用者１１，データ被引用者１２及びデータ請求者１４は、それぞれコンピュータ２，３，６を用いて、データ１５，引用データ１６，被引用データ１７その他の記憶手段５に入力されたデータを出力する事をサーバー４に請求し、サーバー４はこの請求に基づき、上記記憶手段５に入力するデータをコンピュータ２，３，６に出力する。なお、このデータ引用者１１は、自己が作成するウェブページのデータ１５内に、上記のデータ被引用者１２により作成された被引用データ１７を引用することがあるが、このようにデータ引用者１１が作成するデータ１５の内、特に他の者（データ被引用者１２）が作成した被引用データ１７を引用するデータを引用データ１６とする。なお、これらコンピュータ２，３，６、サーバー４及び記憶手段５は、それぞれがＣＰＵ等からなる演算回路，制御回路，記憶手段及び出力回路を有し、他のコンピュータ（サーバー、記憶手段）との接続をするイーサネット（富士ゼロツクス株式会社の登録商標）等の接続手段をそれぞれ有すると共に、特にコンピュータ２，３，６は、キーボードやマウス等の入力手段とディスプレイやプリンタ等の出力手段を有している。すなわち、この実施の形態では、サーバー４と記憶手段５とを別個のものとして説明するが、サーバー４と記憶手段５はそれぞれ本システム１のネットワーク上でのサービスを提供すると言う機能及びネットワーク上でのファイルの提供をするという機能からそれぞれ「サーバー」「記憶手段」と称して説明するものであって、これらはあくまで別個独立した演算回路及び記憶手段等を有するコンピュータとして物理的に存在するものであり、これらは互いにインターネット７を介して接続されるものである。なお、この実施の形態ではサーバー４及び記憶手段５としての機能を果たす互いにインターネット７を介して接続される別個の２台のコンピュータを用いるものとしたが、これらサーバー４及び記憶手段５の機能を果たす１台のコンピュータを用いるものとしても良い。また、コンピュータ２，３，６、サーバー４及び記憶手段５は、上述の通りそれぞれインターネット７を介して接続されており、上記引用データ１６，被引用データ１７の入出力及びデータ引用者１１，データ被引用者１２，データ請求者１４によるデータの請求の入力は、何れもインターネット７を通じて入出力，送信及び受信がなされている。このインターネット７には、この図中に示さない無数のコンピュータやサーバーが接続するが、これらのコンピュータやサーバーについての詳細は省略する。また、この実施例では、各コンピュータ２，３，６、サーバー４及び記憶手段５は互いにインターネット７で接続されるものとしたが、このインターネット７は限られた人物のみにデータの送受信を許可する会員制のネットワークとされても良く、また、上述の通り、これらはインターネットに限られずイントラネット等のより狭い範囲に限られて接続されたネットワークであっても良い。また、ここに挙げたサーバー４に入力される引用データ１６，被引用データ１７は、それぞれｈｔｍｌ形式やｘｈｔｍｌ形式のウェブページを表示するためのデータである場合を例として説明するが、上述の通り、これらのデータはｊｐｅｇ形式やｇｉｆ形式等の静止画のデータや、ｍｐｅｇ形式やｍｏｖ形式等の動画のデータや、ＭＰ３形式やＡＡＣ形式等の音声のデータ等であっても良い。また、以下ではこれらコンピュータ２，３，６，サーバー４及び記憶手段５間の通信がｈｔｔｐプロトコルによりなされる場合を例として説明するが、これらの通信は、文書，静止画，動画或いは音声の通信をするｈｔｔｐｓやｆｔｐ等や電子メールの送受信をするｓｍｔｐ，ｐｏｐ等のＴＣＰ／ＩＰ上のプロトコルやＵＤＰ，ＮｅｔＢＥＵＩやＩＰＸ／ＳＰＸその他のコンピュータ間のデータ通信プロトコルによるものであれば良い。また、以下、サーバー４から出力されるウェブページのデータは、それぞれコンピュータ２，３，６のディスプレイ上に表示され、データ引用者１１，データ被引用者１２，システム管理者１３及びデータ請求者１４等の本システム１に関わる者は、それぞれ各コンピュータ２，３，６及びサーバー４上で動作されるブラウザアプリケーションを介して、マウス及びキーボードその他の入出力装置が用いられることにより、ディスプレイ上に表示されるリンクやボタンをクリックし、或いはウェブページ上の空欄に文字が記入する等により操作を行う。
【００１４】
以下、本実施例について、データ引用者１１が、本システム１において新規なウェブページのデータ１５の作成をする方法、特に、該データ１５内に他の者（データ被引用者１２）が作成して予め記憶手段５に入力した被引用データ１７の引用箇所を特定しつつ引用して新規なウェブページのデータ（引用データ１６）を作成する方法、このデータ引用者１１が作成した既存のデータ１５又は引用データ１６の修正をする方法及びデータ引用者１１がデータ被引用者１２により作成された既存の被引用データ１７を引用する際に該データ被引用者１２に対して申し込みをする方法について、それぞれデータ引用者１１の動作を基に説明する。データ引用者１１が本システム１により新規なウェブページのデータ１５を作成する場合には、データ引用者１１がコンピュータ２を操作し、先ず、図２に示すログイン画面のウェブページを開き、この画面上のＩＤ記入欄及びパスワード記入欄それぞれに本システム１上でデータ引用者１１が用いるＩＤ及びパスワードをそれぞれ入力した上で「ログイン」と表示されたボタン（以下、ログインボタンという。）をクリックし、ユーザー管理画面のウェブページを開く。このユーザー管理画面のウェブページには、本システム１内におけるデータ引用者１１の個人データの表示及び修正を行うウェブページや、該データ引用者１１が作成したデータ等であって他人には公開すべきではないものの表示や修正を行うウェブページへのリンクがされる。このため、サーバー４は、記憶手段５内に予め入力された各ユーザーのシステム管理者１３との契約情報や認証情報の集合であるユーザー管理テーブルのＩＤ及びパスワードを記憶手段５から読み出すと共に、上記ログイン画面において入力されたＩＤ及びパスワードと照合し、適切なＩＤ及びパスワードを入力した者のみが上記ユーザー管理画面を開くことができるものとされている。そして、このユーザー管理画面のウェブページは、図３に示すように、以下に述べる各種ウェブページへのリンクが多数形成されている。すなわち、「新規文書を作成する（新規文書作成画面へ）」の文字とともに表示され、データ引用者１１が新規にウェブページのデータを作成して記憶手段５に入力するウェブページ（以下、新規文書作成画面という。）へのリンクと、「既存文書を編集する（既存文書一覧画面へ）」の文字とともに表示され、データ引用者１１が先に作成したウェブページのデータ１５の一覧を表示するウェブページ（以下、既存文書一覧画面という。）へのリンクと、「引用の申込と管理をする（引用管理画面へ）」の文字とともに表示され、本システム１に参加する他の者（データ被引用者１２）に対してデータ（被引用データ１７）を引用することの申し込みとデータ被引用者１２との引用を管理するウェブページ（以下、引用管理画面という。）へのリンクと、「パスワードの管理をする（パスワード管理画面へ）」の文字とともに表示され、本システム１において用いる上記のパスワードの変更を行うウェブページ（以下、パスワード管理画面という。）へのリンクと、該データ引用者１１が最近作成したウェブページへのリンクと、該データ引用者１１が最近作成したウェブページの中に他の者（データ被引用者１２）が作成したウェブページからのデータの引用がある場合にその他のものが作成したウェブページへのリンク等と、「本システムのヘルプを参照する（ヘルプ画面へ）」の文字とともに表示され、本システム１についての操作方法を表示するウェブページ（以下、ヘルプ画面という。）及び「本システムに付いて問い合わせる（問い合わせ画面へ）」の文字とともに表示され、システム管理者１３に対して本システム１についての不明な点等を問い合わせるウェブページ（以下、問い合わせ画面という。）へのリンク等が表示されており、また、本システム１からのログアウトをする「ログアウト」の文字とともに表示されるリンク（以下、ログアウトリンクという。）がある。さらに、上記データ引用者１１に対して、本システムに参加する他の者が引用の申し込みである引用申込データを入力しており、該他の者が入力した引用申込データに対して該データ引用者１１が未だ返事をしていない場合には、該他の者から引用申込データが送信されている旨の表示（以下、引用申込通知表示という。）がなされる。なお、図３に示すユーザー管理画面は、上記引用申込通知表示がされた状態を示すものであり、他の者からの引用の申込がされていない場合等には、上記引用申込通知表示はなされず、この箇所は空白となる。また、これらログイン画面，ユーザー管理画面，新規作成画面，文書編集画面，パスワード管理画面，ヘルプ画面及び問い合わせ画面その他以下に述べる本システム１のウェブページの表示に用いられるデータは、何れもシステム管理者１３が予め作成したサーバー４上で動作するプログラムにより記憶手段５から読み出され、データ引用者１１の操作に応じてサーバー４により必要な箇所に必要なデータが配置されたウェブページを表示するためのデータとなされて適宜コンピュータ２に出力され、ディスプレイ上に表示されるものである。なお、パスワード管理画面，ヘルプ画面及び問い合わせ画面は、現在会員制のウェブサイト等において多く見られるものであり、それぞれのウェブページ上では、パスワードの確認，変更及び再発行や、本システム１についての良くある質問（いわゆるＦＡＱ）の表示や、本システム１を管理するシステム管理者１３への質問のウェブメールの送信をする事ができるものであって、詳細については説明を省略する。また、これらのウェブページのデータは、何れもデータ引用者１１のリンクやボタンのクリックに応じて、記憶手段５からサーバー４に読み出され、サーバー４によりインターネット７を介して適宜データ引用者１１のコンピュータ２に出力されるものである。以下、このようなリンクやボタンのクリックに伴うコンピュータ２，３，６，サーバー４，記憶手段５間の個々のデータの流れに付いては、説明を省略する。
【００１５】
ここで、この図３に示すユーザー管理画面のウェブページにおいて、新規にウェブページのデータ１５を作成する際のデータ引用者１１の動作に付いて説明する。なお、ここではデータ被引用者１２が作成した被引用データ１７からのデータの引用を行わない場合のデータ１５の作成に付いて説明するものであり、被引用データ１７からデータを引用して引用データ１６を作成する際の動作に付いては後に説明する。このデータ引用者１１は、図３のユーザー管理画面のウェブページにおいて、新規ウェブページを作成する旨のリンクをクリックして新規文書作成画面のウェブページを表示する。この新規文書作成画面のウェブページは、図４に示すように、データ引用者１１に対して以下に述べる各欄に記入の上で新規追加ボタンをクリックする旨の表示と、タイトル欄，本文欄，概要欄，添付ファイル欄，ジャンル欄，キーワード欄，公開ハンドル名欄，親ウェブページ欄及び属性欄が設けられているとともに、「このウェブページを新規追加」の文字とともに表示されてなるボタン（以下、ウェブページ新規追加ボタンという。）及びログアウトリンクと、上記図３に示すユーザー管理画面のウェブページへと戻るリンクと、該データ引用者１１がこれまでに作成した既存のウェブページの一覧を表示するウェブページ（既存文書一覧画面）へのリンクと、該データ引用者１１と関連するデータ被引用者１２の一覧を表示するウェブページ（引用管理画面）へのリンクと、により構成されている。データ引用者１１は、これらタイトル欄，本文欄，概要欄，キーワード欄，公開ハンドル名欄に、それぞれ後述するように、新規に作成するウェブページのタイトル，本文，概要，添付ファイル欄，キーワード，公開ハンドル名をそれぞれ記入するとともに、ジャンル欄及び親ウェブページ欄のプルダウンメニューをクリックして適切なものを選択してクリックし、また、属性欄のチェックボックスを必要に応じてクリックする。
【００１６】
ここで記入されるタイトル欄は、新規に作成するウェブページの題名が記入される欄である。また、本文欄は、このウェブページに表示される本文が記入される欄であり、Ｗ３Ｃにより規格化された標準的なｈｔｍｌ言語やｘｈｔｍｌ言語或いはウェブページの表示に用いられるＣＳＳ等の言語（以下、ｈｔｍｌ言語等という。）を用いてタグやテキストによりこの本文欄内に記入する。なお、この図４に示す新規文書作成画面のウェブページで新規のウェブページのデータ１５を作成するにあたって本文欄内に記入されたｈｔｍｌ言語等による記入内容は、図５に示すものとする。また、概要欄は、このウェブページの要約が記入される欄であって、キーワード欄は、このデータ１５によるウェブページが、本システム１への参加者により検索される際に、この検索に適切であると思われる単語又は短文が記入される欄である。また、公開ハンドル名欄は、この新規に作成されたウェブページを公開するに際して、このウェブページの作者として記録される通り名が記入される欄である。また、添付ファイル欄は、データ引用者１１が用いるコンピュータ２内にある文書や画像等のデータのファイルの格納箇所を表す文字列であるパス（このパスの記入は、図中では省略した。）を記入する欄であって、この添付ファイル欄に記入されたファイルは、本文欄その他のこの新規文書作成画面を構成する各欄の記入内容とともにサーバー４を介して記憶手段５に入力され、上記のｈｔｍｌ言語等により書かれた本文欄内の文書にてイメージタグ（＜ｉｍｇ＞タグ、或いは、本システム１に置いて独自に定める＜ｉｍｇ−ａｔｔａｃｈ＞タグ）等により指定された箇所に該文書や画像等のデータのファイルが配置されて表示され、或いは、このウェブページよりダウンロード可能なファイルとして表示される。なお、この図４中には示さないが、この添付ファイル欄には、上記図５に示す本文欄に記入されたｈｔｍｌによる記入内容に対応する“ｐｈｏｔｏ．ｊｐｇ”のファイル（後述する図８のウェブページ中に表示される人の上半身のシルエットの静止画像のファイル）について、コンピュータ２内での格納箇所を示すパスとともに記入されている。なお、このような文書や画像等のデータのファイルのパスを正確に記載することは面倒であるとともに記載ミスが多く発生しがちであることから、この添付ファイル欄の右隣の「参照」の文字と共に表示されてなるボタンをクリックすることにより、コンピュータ２上で動作するブラウザの機能を呼出し、該コンピュータ２内の任意のファイルを分かり易く選択することができる図示しないダイアログボックスが開き、これを用いて必要なファイルを選択することにより該添付ファイル欄への記入を簡易に済ませることができる。また、ジャンル欄は、予めシステム管理者１３により定められている幾つかのジャンルの内、この新規に作成するウェブページの本文の内容から、一番相応しいと思われるものを適宜選択するものであり、該ジャンル欄の下方に記入されるキーワード欄の記入内容とともに、この新規作成されるデータ１５により表示されるウェブページの検索がより容易なものとされる。また、親ウェブページ欄は、このデータ引用者１１がこれまでに本システム１において作成して記憶手段５に入力したウェブページの一覧がプルダウンメニュー状に表示されるものであって、これらのウェブページの何れか一つを任意に選ぶか或いは何れも選ばない（すなわち、指定なしとする）ことができる。このように親ウェブページを選んで親子関係を設定することにより、ここでは図示しないが、ウェブページ上にこの親子関係の表示をする事が可能であり、共通の話題が継続する場合のように、関連性が高い複数のウェブページについての御互いの関係付けと参照を容易なものとしている。特に、本システム１においてデータ１５，引用データ１６及び被引用データ１７等のような本システム１により管理される全てのデータから必要なデータを検索する仕組みを設けた場合には、この検索の範囲として、この親ウェブページ欄で設定した親子関係の範囲に限定する事ができる。また、属性欄には、図４に示すように、「このウェブページの引用を許可する」の表示とともに、上述の通りチェックボックスが表示されており、データ引用者１１はこのチェックボックスをクリックしてチェックマークを付けることにより、この新規作成されるデータ１５が第三者に対して公開される事を許可するとともに、後述する引用の申し込みを第三者によりされた時に、該データ１５が該第三者により引用される事を許可する可能性がある事を示す。逆に、該チェックボックスにチェックマークを付けない場合には、該データ１５は第三者に対して公開も引用も不許可とする。なお、この実施例では、上記の通りこの属性欄のチェックによって、第三者への公開に対する許可と、引用に対する許可が連動して同時に許可するものとされている。しかし、ここでは詳細は示さないが、上記の第三者への公開に対する許可と、引用に対する許可とを、別々の欄を用いて別々に許可するものとしても良い。また、この属性欄のチェックによる第三者への公開に対する許可と、後述する＜ａｍｆ＞タグを「ｋｅｙｗｏｒｄ」等の属性とともに使用により検索されて引用される事の許可とを、連動するものとされている。しかし、これに付いても、ここでは詳細は示さないが、上記の第三者への公開に対する許可と、引用に対する許可とを、別々の欄を用いて別々に許可するものとしても良い。また、この公開或いは引用に対する許可をする対象は個人に限られるものではなく、個人の集団であるグループを対象としても良い。すなわち、このグループを構成する者に対してのみ公開や引用の許可をするものとしても良い。
【００１７】
なお、この新規文書作成のウェブページの各欄へのデータの入力を途中で中止する場合、特に本システム１からログアウトする場合には、ログアウトリンクをクリックすることにより、本システム１よりログアウトすることができる。また、同様にウェブページのデータの入力中に図３に示すユーザー管理画面のウェブページに戻る場合には、「ユーザー管理画面に戻る」の文字とともに形成されたリンクをクリックしてユーザー管理画面のウェブページを表示させる。また、この新規文書作成画面の各欄への記入中に、自身が過去に作成した既存の文書との比較を行う等の為にデータ引用者１１の既存の文書を見る場合には、「既存文書一覧画面へ」の文字とともに形成されたリンクをクリックして後述する既存文書管理画面のウェブページを表示させる。また、データ引用者１１が該データ引用者１１に対して引用の許可をした他の者（データ被引用者１２）を確認する場合には、「引用管理画面へ」の文字に形成されたリンクをクリックして後述する引用管理画面のウェブページを表示させる。また、上記のタイトル欄，本文欄等の各欄への記入を終え、ウェブページのデータ１５の作成が完了して公開する場合には、データ引用者１１はこのページ上のウェブページ新規追加ボタンをクリックすることにより、上記各欄への記入事項からなるこの新規に作成したウェブページのデータ１５は、インターネット７とサーバー４を介して記憶手段５に入力される。なお、サーバー４は、データ１５を記憶手段５に入力する際に、該データ１５に各データ引用者１１毎に一意に付与される番号（各データ引用者１１毎にデータ１５に一意に付与されるＩＤであり、また、後述する＜ａｍｆ＞タグの属性ｃｋｅｙとともに用いられる。）や、該データ１５の記憶手段５内での格納箇所（パス）の記録や、該データ１５の記憶手段５へ入力した時間等の該データ１５の補助的或いは管理上必要なデータも同時に記録手段５内に入力する。そして、サーバー４は、このように記憶手段５内にデータ引用者１１が作成したデータ１５の入力を終えるとともに、これまでにデータ引用者１１が作成したウェブページのデータ１５の一覧を示す既存文書一覧画面のウェブページのデータを適宜記憶手段５よりコンピュータ２に出力し、コンピュータ２は図６に示す既存文書一覧画面のウェブページを表示する。なお、本実施例では、このようにデータ引用者１１が図４に示す新規文書作成画面においてウェブページ新規追加ボタンをクリックすることにより、コンピュータ２は図６に示す既存文書一覧画面を表示するものとされている。しかし、サーバー４によりデータ１５が記憶手段５に入力される前に、このデータ１５によるウェブページがどのようにコンピュータのブラウザ上で表示がされるのかをデータ引用者１１が確認するために、サーバー４によりプレビュー画面のデータがコンピュータに出力され、コンピュータ２上にここでは図示しないプレビュー画面が表示されるものとしても良い。また、上記の本文欄への記入には、ｈｔｍｌ言語等を用いるものとしているが、更に本システム１独自のタグを用いることを可能としても良い。すなわち、上記添付ファイル欄を用いて入力されたファイル（例えば、ｐｈｏｔｏ．ｊｐｇ）をウェブページ上に表示するために指定する際には、上記ｈｔｍｌ言語等によれば、＜ｉｍｇ  ｓｒｃ＝“ｐｈｏｔｏ．ｊｐｇ”＞と記載するものであるが、これに替えて＜ｉｍｇ−ａｔｔａｃｈ＞とすることにより、ファイルの名前を一意に指定することなく、自動的に添付ファイルをウェブページ上に表示することを指定することができるものとしても良い。同様に、添付ファイルをダウンロードするものとして指定するための独自のタグ（例えば、＜ａ−ｄｏｗｎｌｏａｄ＞）を定めても良い。また、この本文欄に記入するｈｔｍｌ言語等においては、一般的なｈｔｍｌ言語等により文書では必要な＜ｈｅａｄ＞要素や、或いは、改行に用いられる＜ｂｒ＞タグの記載を適宜省略することができるが、ここでは詳細は示さない。
【００１８】
上述のように、ウェブページのデータ１５を記憶手段５に入力した後、サーバー４により出力されたデータにより、コンピュータ２は既存文書一覧画面のウェブページを表示する。この既存文書一覧画面のウェブページは、図６に示すようなものであって、これまでにデータ引用者１１が本システム１上で作成したウェブページのデータ１５及び引用データ１６の一覧が表の形式で表示される。この表内には、データ引用者１１がこれまでに作成したウェブページのデータ１５及び引用データ１６が、新しいものから順に上から下に並んで（時系列に降順でソートされて）表示されるものとされており、上記の新規文書作成画面のウェブページで作成された一番新しい文書のデータ１５（この実施例の図５に示すウェブページでは、タイトルが「○○○○」のデータ）が一番上に位置しており、データ引用者１１は上述の新規文書作成画面のウェブページにおいて入力したデータ１５が記憶手段５に入力ができた事を確認する事ができる。この表内においてこれら各データ１５及び引用データ１６は、それぞれタイトル，内容，最終更新，更新回数，操作及び状況の各項目が表示されている。すなわち、タイトルの項目には、上記新規文書作成画面のウェブページのタイトル欄に記入された事項が表示され、内容の項目には、上記新規文書作成画面のウェブページの本文欄に記入された事項が表示され、最終更新の項目には、そのデータ１５及び引用データ１６を新規作成された日時又は最後に既存文書編集画面のウェブページにより更新された日時が表示され、更新回数の項目には、そのデータ１５及び引用データ１６を新規作成後からこれまでにされた更新の回数（新規作成後これまでに更新がされていないものを１として表示する。）が表示され、また、状況の項目には、上記図４の新規文書作成画面のウェブページの属性欄のチェックボックスのチェックの入力と連動して、「公開」又は「非公開」の文字が表示される。すなわち、上記チェックボックスにチェックがされた場合には、上述の通り、このデータ１５又は引用データ１６が公開されることについて同意したものであることから、「公開」と表示される、そのデータ１５及び引用データ１６が第三者（データ請求者１４）により見られ得る状態であるか否か（公開されているか否か）を示している。また、各データ１５及び引用データ１６の操作の項目には、「編集」及び「削除」の文字の表示と共に形成されたリンク（以下、それぞれ「編集リンク」「削除リンク」という。）がそれぞれ一つずつ表示されており、編集リンクをクリックすることにより、後述する既存文書編集画面のウェブページが開かれて該データ１５及び引用データ１６を編集する事が可能となり、また、削除リンクをクリックすることにより、サーバー４に記憶手段５から該データ１５及び引用データ１６を削除させることができる。なお、この削除リンクをクリックすることによりデータ１５及び引用データ１６が記憶手段５より削除される前に、該データ１５及び引用データ１６を本当に削除しても良いかを尋ねる旨の図示しないウェブページ或いはダイアログボックスを表示するものとしても良い。なお、この表のタイトル欄に示す各データ１５及び引用データ１６のタイトルにはリンクが形成されており、このタイトルのリンクをクリックする事により、各データ１５及び引用データ１６によるウェブページを表示する事ができ、該データ１５及び引用データ１６の内容を確認する事ができる。なお、この図５に示す既存文書一覧画面の表の中には、データ引用者１１が作成したデータ１５及び引用データ１６が上述の通り１０件ずつ表示されているとともに、該表の上下それぞれには、リンクが形成された「前のページへ」及び「次のページへ」の文字が表示されており、該データ引用者１１が１１件以上のデータ１５及び引用データ１６を作成している場合には、これら「前のページへ」及び「次のページへ」のリンクをクリックする事により、現在ここに表示されていないデータ１５及び引用データ１６の一覧を、１０件ずつ順次表示する事ができる。また、このようにデータ引用者１１が１１件以上のデータ１５及び引用データ１６を作成している場合には、上記の「前のページへ」及び「次のページへ」のリンクをクリックする事により表示される既存文書一覧画面の全ウェブページの数と、該全ウェブページの中での現在表示中の既存文書一覧画面のウェブページのページ数が、分数の形式で上記表の上に表示される「前のページへ」及び「次のページへ」の上方に表示される。なお、上記の「前のページへ」及び「次のページへ」の表示は、データ引用者１１が作成したデータ１５及び引用データ１６が１０件以下である場合、或いは、この図５に示す既存文書一覧表示の「前のページへ」のように作成したデータ１５及び引用データ１６の先頭を表示する場合には、「前のページへ」及び「次のページへ」の文字の表示がされるのみで、リンクの形成はされない。
【００１９】
また、図６に示す既存文書一覧表示のウェブページ内に表示される表では、上述の通り、各データ１５及び引用データ１６の作成順に新しいものから順に上から下にソートされて表示されている。すなわち、上述のように図４に示す新規文書作成画面のウェブページにおいて新規なデータ１５（或いは図４に示す新規文書作成画面のウェブページにおいて新規な引用データ１６）を作成後にこの図６の既存文書一覧画面を表示した場合や、前記の図３に示すユーザー管理画面その他のウェブページ上に表示された既存文書一覧画面のウェブページへのリンクをクリックすることによりこの図６に示す既存文書一覧画面のウェブページを表示した場合には、最初に（いわば、デフォルトで）各データ１５及び引用データ１６が新しいものから順に上から下にソートされて並ぶものとされている。しかし、この表に表示されるデータ１５及び引用データ１６の一覧は、データ引用者１１がこの図６に示す既存文書一覧画面のウェブページにおける操作により、任意の項目を基準にソートする事ができる。すなわち、この図５に示す既存文書一覧画面のウェブページの上記のデータ１５及び引用データ１６の一覧の表の上方には、「表示条件設定」の文字とともに表示された表示条件設定欄が表示されており、この表示条件設定欄内には、表示する対象ＩＤを選ぶプルダウンメニューと、検索する基準となる項目（例えば、タイトル，内容，中に＜ａｍｆ＞タグを含む引用データ１６であるか否か等）を選ぶプルダウンメニューと、該項目内に含まれる任意の文字列を記入する空欄と、上記項目及び文字列により抽出されたデータ１５及び引用データ１６をソートする基準となる項目（例えば、更新日，タイトル名，添付ファイルの容量や動画ファイルの再生時間の長さ等）を選ぶプルダウンメニューと、「表示」の文字とともに表示されてなるボタン（以下、表示ボタンという。）と、が表示されている。なお、ここでは検索する基準となる項目とこの項目に対応する空欄は一組のみとしているが、複数設けることにより、より詳細な検索条件を指定できるものとしても良い。そして、データ引用者１１が、この表示条件設定欄内の空欄に適宜記入し、プルダウンメニューより適切な項目を選んだ上で、表示ボタンをクリックする事により、サーバー４は、記憶手段５より、この表示の条件に合う各データ１５及び引用データ１６毎のタイトル，内容，最終更新日，更新回数及び状況のデータを検索及び抽出して読み出し、必要な順序にソートして表を作成し、該表のデータを含むウェブページのデータを作成した上でコンピュータ２に出力し、コンピュータ２に図示しないソートされたデータ１５及び引用データ１６を図６の既存文書一覧画面のウェブページと同様に表示する。また、この既存文書一覧画面のウェブページには、図５に示すように、上端近傍に「新規文書作成画面へ」「引用先一覧画面へ」「ユーザー管理画面へ」の文字とともに形成されたリンクと、ログアウトリンクとが表示されている。このため、データ引用者１１は、さらに新規なウェブページのデータ１５及び引用データ１６を作成する場合には、上記「新規文書作成画面へ」のリンクをクリックして図４に示す新規文書作成画面のウェブページを表示し、上述の手段により新たな新規なウェブページのデータ１５及び引用データ１６を作成する。また、後述するように、新規なウェブページのデータを作成する際に該データが他の者（データ被引用者１２）が作成した既存のデータ（被引用データ１７）を引用して作成するデータ（引用データ１６）である場合等であってデータ被引用者１２の一覧を確認するような場合には、図６に示す引用管理画面のウェブページを表示する「引用管理画面へ」のリンクをクリックする。また、データ引用者１１は上記のユーザー管理画面に戻る場合には、「ユーザー管理画面へ」のリンクをクリックし、図３に示すユーザー管理画面のウェブページを表示する。また、データ引用者１１が本システム１上の操作を終える場合には、ログアウトリンクをクリックする事により、本システム１からログアウトする。
【００２０】
このように、データ引用者１１は、新規文書作成画面のウェブページにおいて本文欄内に図５に示すようなｈｔｍｌ言語等を用いた文書を記入してデータ１５を作成し、このデータ１５は、サーバー４の動作により該ｈｔｍｌ言語等を用いた文書を含むデータ１５は記憶手段５に入力される。そして、データ作成者１１やデータ被引用者１２や第三者であるデータ請求者１４等による本システム１の内部及び外部からのＵＲＩの入力やリンクのクリック等によってデータ１５が請求された場合には、サーバー４は図７に示すように動作する。すなわち、先ずサーバー４は、データの請求を受けることにより動作を開始し（ステップＳｔ１）、この請求されたデータがデータ引用者１１やデータ被引用者１２等の該システム１に参加する者により作成されたデータ（データ１５又は引用データ１６）であるか否かを判断する（ステップＳｔ２）。なお、詳細は記さないが、この判断の際には、サーバー４は本システム１に参加する者の一覧のデータを記憶手段５より読み出しし、この読み出されたデータとの照合を行うことにより判断を行う。このように、サーバー４は、以下に述べるような判断の際に、必要なデータが記憶手段５内に存在する場合には、自動的にその必要なデータを記憶手段５より読み出すものとされているが、以下、このような必要なデータの読み出しについては記載を省略する。この判断により、請求されたデータが本システム１の参加者により作成されたものではない場合には、このデータの請求を図示しない他のサーバーに送信し、この請求されたデータに関するサーバー４の動作は終了し（ステップＳｔ３）、次のデータの請求への待機状態となる。また、この請求されたデータが本システム１に参加する者により作成されたものであれば、このデータが本システム１に参加する者のうちの誰により作成された者であるかを特定する（ステップＳｔ４）。そして、このデータが本システム１に参加する者（データ引用者１１とする）により作成された場合には、このデータを記憶手段５からサーバー４に出力し（ステップＳｔ５）、このデータがデータ作成者１１により作成された際に、上記図４の属性欄のチェックボックスにチェックマークを付けない事によりこのデータ（データ１５又は引用データ１６）の公開を不許可されたものでないか、すなわち、データ引用者１１が公開に同意しているかを判断する（ステップＳｔ６）。ここで、データ引用者１１が公開に同意していない場合には、サーバー４は、このデータ（データ１５又は引用データ１６）の請求者がデータ引用者１１自身でないかを判断し（ステップＳｔ７）、データ（データ１５又は引用データ１６）の請求者とデータ引用者１１が異なる者である場合には、図示しない該データ（データ１５又は引用データ１６）のウェブページは表示できない旨等のエラー表示等をするウェブページのデータを出力し、このデータ（データ１５又は引用データ１６）の請求についてのサーバー４の動作を終了する（ステップＳｔ８）。そして、このデータ（データ１５又は引用データ１６）が公開を許可されたものである場合（公開されることについて同意されている場合）、或いは、データ（データ１５又は引用データ１６）の請求者がデータ引用者１１自身である場合（これは、例えばデータ引用者１１が自身のウェブページの表示を確認する場合等が該当する。）には、サーバー４は、このデータが後述する引用データ１６では無い事（すなわち、このデータが、内部に後述する＜ａｍｆ＞タグが含まれていない事）を判断し（ステップＳｔ９）、このデータが引用データ１６では無い場合には、該データ１５を記憶手段５よりコンピュータ２，３，６へと出力し（ステップＳｔ１０）、該データ１５の請求についてのサーバー４の動作を終了する（ステップＳｔ１１）。なお、このようにデータ１５をコンピュータ２，３，６に出力する際には、上記の説明において省略可能とされたｈｔｍｌ言語等の文書において省略されたｈｅａｄ要素や＜ｂｒ＞タグを自動的に補充（挿入）した上で出力を行うが、詳細については省略する。なお、この図中のＡに示す場合、すなわち、データが引用データ１６である場合のサーバー４の動作に付いては、後述する。そして、データ１５を出力されたコンピュータ２，３，６は、図５に示すようなｈｔｍｌ言語等を用いた文書に基づき、図８に示すようなウェブページを表示する。なお、本実施例では、このデータ１５を請求する際に用いられるＵＲＩは、データ引用者１１のＩＤと、上述の該データ１５が記憶手段５に入力される際にサーバー４により付与された一意の番号と、を適宜組み合わせたものとしているが、このＵＲＩは、本システム１に参加する全ての者が作成した全てのデータに一意に付与された番号或いは記号等を用いても良く、また、この番号及び記号に付いての法則性を排除するために乱数を適宜用いるものとしても良い。このように、請求されたデータ１５に基づいてコンピュータに表示されるウェブページは、データ引用者１１が入力したデータ１５中のｈｔｍｌ言語等を用いた文書に基づいて表示がなされる。すなわち、データ引用者１１が図４に示す新規文書作成画面の本文欄に記入した図５に示すようなｈｔｍｌ文書等に基づいて表示がなされ、当然ながら他の者（データ被引用者１２やデータ請求者１４等）が作成したデータが表示される事はない。しかしながら、本システム１においては、データ引用者１１が本文欄内に記入するｈｔｍｌ言語等を用いた文書内に特定のタグを用いることにより、他の者（データ被引用者１２）が作成した既存のデータ（被引用データ１７）を引用した引用データ１６を作成する事ができる。以下、この引用データ１６の作成について、データ引用者１１による引用データ１６の作成の動作により説明する。
【００２１】
データ引用者１１がデータ被引用者１２の被引用データ１７を引用して引用データ１６を作成する際には、先ずデータ引用者１１はデータ被引用者１２に対してデータ被引用者１２が作成したデータを引用する事に付いて申し込むための引用申込データを送信し、該データ被引用者１２から同意し又は同意しない旨を内容とする引用許諾データを得る必要がある。すなわち、後述するように、本システム１では、データ引用者１１が作成したデータ１５がデータ被引用者１２により作成された被引用データ１７を引用した作成されたデータ（引用データ１６）である場合には、記憶手段５に入力された該引用データ１６は、データ請求者１４等により外部からサーバー４を介して出力を請求された際に、サーバー４は、データ被引用者１２がデータ引用者１１に送信した引用許諾データを記憶手段５から出力し、該引用許諾データが該引用データ１６内に被引用データ１７が引用される事に付いてデータ被引用者１２が同意しているかを判断し、該データ被引用者１２が同意している場合には、サーバー４は被引用データ１７を引用データ１６に挿入して外部に出力する。このような構成であることから、データ引用者１１がデータ被引用者１２から引用する事についての同意を得るために申し込みを行う場合には、データ引用者１１は、上記図２に示すログイン画面のウェブページを経て図３に示すユーザー管理画面のウェブページを開き、該ユーザー管理画面のウェブページ上に「引用の申込と管理をする（引用管理画面へ）」の文字とともに形成されたリンクをクリックする事により引用管理画面のウェブページを開く。この引用管理画面は、図９に示すものであって、現在の引用の状況を表示する表が表示される。この表内には、これまでに削除された者を除いて、これまでに本システム１上でデータ引用者１１が引用の同意を求めた他の者（データ被引用者１２）及び該データ引用者１１に対して引用の同意を求めてきた者の一覧が、申し込んだ日の新しい者から古い者に順に上から下に並べられて表示されており、それぞれの者毎に、相手のＩＤ，引用の状態，引用申込日及び備考欄の各項目と削除リンクが表示されている。すなわち、相手のＩＤの項目には、上記のデータ引用者１１が引用の同意を申し込んだデータ被引用者１２及び該データ引用者１１に対して引用の同意を申し込んだ者がＩＤで表示され、引用状態の項目には、そのＩＤで特定される者との引用の状態を「確立」又は「未確立」の何れかにより表示され、引用申込日の項目には、データ引用者１１とそのＩＤで特定される者との引用についての申し込みを行った（或いは、申し込みをされた）日時が表示され、また、備考の項目には後述する新規引用申込画面において備考欄にデータ引用者１１が記入した覚え書き等が表示されており、また、ＩＤで特定される者毎に「削除」の文字と共に形成されてなるリンク（以下、削除リンクという。）が表示されており、削除リンクをクリックする事により、この表の中から該ＩＤで特定される者を削除させる事ができる。なお、削除リンクへのクリックにより、ＩＤで特定される者との関係における引用許諾データを削除するものとしても良く、また、この削除リンクをクリックすることにより引用許諾データが記憶手段５より削除される前に、該データ１５を本当に削除しても良いかを尋ねる旨の図示しないウェブページ或いはダイアログボックスを表示するものとしても良い。また、図９に示す引用管理画面では、上記ＩＤで特定される者が３名表示されているが、この表内には、前記既存文書一覧画面を構成するデータ１５を表示する表と同様に、該ＩＤで特定される者が１０名まで表示が可能であるとともに、該ＩＤで特定される者が１１名以上である場合には、該既存文書一覧画面と同様に、上記のＩＤで特定される者を表示する表の上下それぞれに表示された「前のページへ」及び「次のページへ」のリンクをクリックする事により、ここに表示されなかったＩＤで特定される者の一覧を１０件ずつ順次表示する事ができる。なお、この表の中に表示されるデータは、記憶手段５内に入力された引用管理テーブルから出力されたデータに基づいて表示がされている。
【００２２】
また、この引用管理画面には、図９に示すように、上端近傍に「新規文書作成画面へ」「既存文書一覧画面へ」「ユーザー管理画面へ」の文字とともに形成されたリンクと、ログアウトリンクとが表示されている。このため、データ引用者１１は、さらに新規なウェブページのデータ１５を作成する場合には、上記「新規文書作成画面へ」のリンクをクリックして図４に示す新規文書作成画面を表示し、上述の手段により新たな新規なウェブページのデータ１５を作成する。また、後述するように、これまでにデータ引用者１１により作成された既存のデータ１５を修正するような際に、データ１５の一覧を確認するような場合には、図６に示す既存文書一覧画面を表示する「既存文書一覧画面へ」のリンクをクリックする。また、データ引用者１１は上記のユーザー管理画面に戻る場合には、「ユーザー管理画面へ」のリンクをクリックし、図３に示すユーザー管理画面を表示する。また、データ引用者１１が本システム１上の操作を終える場合には、ログアウトリンクをクリックする事により、本システム１からログアウトする。また、この引用管理画面には、図９に示すように、下端近傍に「新規に引用を申し込む」の文字とともに形成されたリンクが表示されている。そして、データ引用者１１が新規にデータ被引用者１２に対して引用の申し込みをする際には、この「新規に引用を申し込む」の文字とともに形成されたリンクをクリックし、新規引用申込画面を開く。この新規引用申込画面は図１０に示すものであって、「新規な引用をリクエストする」旨の表示と、データを引用する相手であるデータ被引用者１２のＩＤを記入するＩＤ欄と、該データ被引用者１２についてのデータ引用者１１の覚え書き等を記入する備考欄と、該データ被引用者１２に対して引用の申し込みとともに送信する挨拶等を記入するメッセージ欄と、「送信」の文字とともに表示されてなるボタン（以下、送信ボタンという。）が表示されている。そして、データ引用者１１は、この図１０に示す新規引用申込画面上において、ＩＤ欄に引用を申し込む相手であるデータ被引用者１２のＩＤを記入し、必要に応じて備考欄及びメッセージ欄に記入した上で、送信ボタンをクリックすることを条件として、該データ被引用者１２に対して引用の申し込みを完了する。すなわち、サーバー４は送信ボタンのクリックを条件として、上記各欄に記入されたデータを記憶手段５に入力する。なお、図１０の新規引用申込画面においてデータ引用者１１が送信ボタンをクリックする事を条件としてデータ被引用者１２に対して送信する被引用データ１７の引用を希望する旨のデータは、本発明を構成する引用申込データである。そして、サーバー４は、データ被引用者１２がコンピュータ３を操作して自己の図３に示すユーザー管理画面のデータを要求された際には、引用申込データをデータ被引用者１２に送信する。すなわち、コンピュータ３に対して該ユーザー管理画面のデータ内にデータ被引用者１２に対する引用の申し込みが来ている旨を表示するデータを挿入した上で送信することにより、コンピュータ３はデータ被引用者１２に対してその旨を上述の引用申込通知表示として表示する。すなわち、図３に示すユーザー管理画面では、ＩＤの箇所に「●●●●」と表示されているが、データ引用者１１から引用の申し込みが送信された場合には、このＩＤの箇所にデータ引用者１１のＩＤが表示され、また、メッセージの箇所には、上記図１０に示す新規引用申込画面のメッセージ欄にデータ引用者１１により記入された事項が表示される。なお、この図１０に示す新規引用申込画面の上端近傍には、上述の図９の引用管理画面と同様に、「新規文書作成画面へ」「既存文書一覧画面へ」「ユーザー管理画面へ」の文字とともに形成されたリンクと、ログアウトリンクとが表示されているがこれらのリンク及びボタンの機能は引用管理画面上のそれらと同様なものであるから説明は省略する。なお、ここでは示さないが、他の者から引用の申し込みがなされていることを知るための引用申込通知表示については、上述のようなユーザー管理画面の一部として表示されるものと限定されるものではなく、このような引用申込通知表示のみがなされる独立したウェブページとしても良い。
【００２３】
このようにしてデータ引用者１１から引用の申し込みを受けたデータ被引用者１２のコンピュータ３には、上述の通り、図３に示すユーザー管理画面上において、上記の引用申込表示として、引用の申し込みが来ている旨，その引用を申し込む者（この例ではデータ引用者１１が該当し、図３中ではＩＤを「●●●●」として表示）と、該引用を申し込む者からのメッセージ（この図３中に示す例では、「引用を希望します。」と表示）と、このデータ引用者１１からの申し込みに対して「引用を許可しますか。」の問いかけと、が表示されるとともに、「許可する」「拒否する」「着信拒否」の文字が表示されてなるボタン（以下、それぞれ許可ボタン，拒否ボタン及び着信拒否ボタンという。）が表示される。このようにして引用申込データを受信して引用を申し込まれたデータ被引用者１２は、データ引用者１１に対してデータの引用の申し込みに同意するか否かを決定し、引用の申し込みに同意する場合には、上記許可ボタンをクリックし、引用の申し込みに同意しない場合には、拒否ボタンをクリックする。さらに、データ被引用者１２が今後同一のデータ引用者１１からの引用の申し込みを二度と受け付けない場合には、データ被引用者１２は着信拒否ボタンをクリックする。サーバー４は、この図３に示すユーザー管理画面でいずれかのボタンがクリックされたことを条件に、何れのボタンがクリックされたかについてのデータを記憶手段５（特に、記憶手段５内の引用管理テーブル）に入力する。なお、このデータ被引用者１１が、上記のデータ引用者１２よりサーバー４を介して送信された引用申込データに対応して行う許可ボタン，拒否ボタン或いは着信拒否ボタンのクリックにより入力されることを条件に、記憶手段５に入力されたデータは、本発明を構成する引用許諾データである。なお、上記引用申込データ及び引用許諾データは、本システム１に参加する全ての者（例えば、データ引用者１１やデータ被引用者１２）毎に記憶手段５内に設けられた引用管理テーブルに入力され、該引用管理テーブルには、本システム１に参加する誰が誰に引用申込データを送信し、その引用申込データに対してどのような返答（引用許諾データ）を送信したか（又はまだ返答を送信していないか、或いは未読か既読かの区別）、さらに、引用を申し込む際の備考欄に記入された事項や引用申込データを送信した日時（引用申込日）等のデータが入力され、上記の図９に示す引用管理画面を表示する際にデータを請求された場合に、サーバー４により記憶手段５から出力される。従って、データ引用者１１は、図１０に示す新規引用申込画面を用いてデータ被引用者１２に対して引用を申し込んだ後、適宜図９に示す引用管理画面内の表内の引用状態の項目の表示を確認する事により、データ被引用者１２との引用の状態を確認する事ができる。すなわち、上述の通り、この引用状態の項目には「確立」又は「未確立」の何れか一つが表示されるものとされているが、上記のデータ引用者１１からの引用の申し込みに対してデータ被引用者１２が引用を許可し、上記図３に示す許可ボタンをクリックした場合には、上記引用状態の項目には「確立」が表示される。また、データ被引用者１２が未だデータ引用者１１からの引用の申し込みを見ていない又は返事をしていない場合やデータ被引用者１２が引用の申し込みに対して引用を許可する事無く上記図３に示す拒否ボタンをクリックした場合には、上記引用状態の項目には「未確立」が表示される。さらに、データ被引用者１２がデータ引用者１１に対して引用を許可する事無く、かつ、今後は該データ引用者１１からの引用の申し込みやメッセージの送信をいっさい受けることがなく、上記図３に示す着信拒否ボタンをクリックした場合にも、上記引用状態の項目にも図９に示すように、「未確立」が表示される。これは、データ引用者１１からデータ被引用者１２に対して「確立」となるまで何度も繰り返して引用の申し込みがなされることを防ぐためである。すなわち、データ被引用者１２が着信拒否ボタンをクリックすることにより「未確立」以外の表示（例えば「着信拒否」等）がされてもなお「確立」となるまでデータ被引用者１２が迷惑に感じられる引用の申し込みを行うことが考えられることから、本システム１ではあえて返事が未だなされていない状態の表示である「未確立」と同じ表示としている。なお、本実施例では、上記引用状態の項目には「確立」又は「未確立」の二種類の表示がなされるが、これらの二種類以外の表示を含めるものとしても良い。すなわち、ここでは詳細な説明を省くが、データ被引用者１２が、データ引用者１１が作成する引用データ１６内に自己のデータが引用されることを一時的に拒否する場合には、図示しないボタンのクリック等によって一時的に引用を拒否することができるものとし、この場合には「一時休止」等の表示がなされるものとしても良い。なお、詳細な説明は省くが、不特定多数のデータ被引用者１２に対して迷惑な引用の申し込みを多数行うデータ引用者１１が出ることを考慮し、上記の迷惑な引用の申し込みを多数行うデータ引用者１１のＩＤを入力することにより、該迷惑なデータ引用者１１からの引用の申し込みの着信を自動的に拒否するための仕組みを予めシステム管理者１３は本システム１に設けても良い。この仕組みでは、このような迷惑なデータ引用者１１のＩＤをデータ被引用者１２に対して一斉に通知し、データ被引用者１２がこの通知に応じて自動的に着信を拒否する場合には、図示しないウェブページの画面上において該ＩＤを入力することにより、該データ被引用者１２には該ＩＤを有する迷惑なデータ引用者１１からの引用申し込みに対して自動的に拒否の返答がなされるものとする。
【００２４】
データ引用者１１が以上の引用の申し込みによりデータ被引用者１２から引用の許可を得られたことを確認した場合、すなわち、データ引用者１１がデータ被引用者１２に対して引用を申し込み、上記図９に示す引用管理画面を開いて該データ被引用者１２に対応するＩＤの者の引用状態の項目が「確立」とされていることを確認した場合には、データ引用者１１は、引用データ１６の作成を行う。なお、この引用状態の項目が「確立」以外の状態であっても、データ引用者１２は以下に示す方法により、「確立」の状態と同様に、引用データ１６を作成してサーバー４を介して記憶手段５に該引用データ１６を入力する事はできる。しかし、そのように「確立」以外の状態であるときに記憶手段５に引用データ１６が入力された場合において、引用データ１６のウェブページを第三者であるデータ請求者１４がコンピュータ６を用いてサーバー４を介して該記憶手段５からの出力を請求した場合等には、後述するように、記憶手段５からコンピュータ６等に出力される引用データ１６の中に被引用データ１７が挿入されて出力されることはない。このデータ引用者１１の引用データ１６を作成する場合には、上述の新規なウェブページのデータ１５を作成する場合と同様に、図２に示すログイン画面のウェブページよりログインして図３に示すユーザー管理画面のウェブページを開き、新規文書作成画面のウェブページへのリンクをクリックし、図４に示す新規文書作成画面のウェブページを開く。なお、上述の通り、ユーザー管理画面以外のウェブページ、すなわち、図６に示す既存文書一覧画面のウェブページ，図９に示す引用管理画面のウェブページ及び図１０に示す新規引用申込画面のウェブページにもそれぞれこの図４に示す新規文書作成画面のウェブページへのリンクが形成されている事から、これらのリンクを介してこの新規文書作成画面のウェブページを開いても良い。この図４に示す新規文書作成画面のウェブページは、上述の通り、データ引用者１１に対する以下に述べる各欄に記入の上で新規追加ボタンをクリックする旨の表示と、タイトル欄，本文欄，概要欄，添付ファイル欄，ジャンル欄，キーワード欄，公開ハンドル名欄，親ウェブページ欄及び属性欄と、ウェブページ新規追加ボタン及びログアウトリンクと、その他幾つかのリンクが形成されている。データ引用者１１は、引用データ１６の作成のために、上記の各欄に上記のデータ１５作成時の記入事項と同様の要領によりそれぞれの事項を記入する。
【００２５】
そして、特に本文欄は、上述の通りｈｔｍｌ言語等により記入するものとされているが、この引用データ１６のように本システム１に参加するデータ被引用者１２が作成した既存の被引用データ１７を引用する場合には、本システム１に参加する者のみが使用する事ができるＷ３Ｃにより規格化された標準的なｈｔｍｌ言語等内に規定の無い独自のタグを用いて記入する。すなわち、ここで引用データ１６の作成時の本文欄への記入内容を図１１に示すが、この図１１に示す本文欄への記入内容には、上記の本システム１独自のタグである＜ａｍｆ＞というタグを用いている。なお、この＜ａｍｆ＞というタグを構成するａｍｆという文字列は、システム管理者１３が本システム１のために便宜的に選んだ文字列であって、上述したＷ３Ｃにより規格化された標準的なｈｔｍｌ言語等により既に規定されたタグに用いられる文字列以外のものであればどのような文字列を用いるものであっても良く、例えばｘｘｘｘという文字列からなる＜ｘｘｘｘ＞というタグを用いるものとしても良い。そして、この＜ａｍｆ＞タグは、本システム１においては、この引用データ１６を作成するデータ引用者１１自身と該データ引用者１１以外の者も含む本システム１に参加する全ての者が作成した既存の任意のデータを、この＜ａｍｆ＞タグが用いられた箇所に挿入する機能を有している。すなわち、外部からの請求に応じてサーバー４がウェブページのデータを記憶手段５から外部へと出力する際に、サーバー４は、該ウェブページのデータ内にこの＜ａｍｆ＞タグが用いられている場合には、後述するように、＜ａｍｆ＞タグを用いた該データの作成者とこの＜ａｍｆ＞タグにより引用されるデータの作成者との間の引用申込データ及び引用許諾データを記憶手段５の引用管理テーブルから出力して引用が同意されている事を確認した上で、この＜ａｍｆ＞タグの属性により指定されたデータを記憶手段５から出力し、該＜ａｍｆ＞タグの箇所に該指定されたデータを挿入（言い換えれば、該＜ａｍｆ＞タグと該指定されたデータとを置換）し、サーバー４はその挿入したデータを請求した外部へ出力する。このように、データ引用者１１は本文欄への記入の際にこの＜ａｍｆ＞タグを用いる事により、データ引用者１１が作成した引用データ１６は、中に被引用データ１７が引用された状態でサーバー４から上記データ請求者１４等に出力される。なお、この＜ａｍｆ＞タグは、上記標準的なｈｔｍｌ言語に用いられる一般的なタグと同様に属性を設定する事が可能であり、「ｕｓｅｒ」「ｃｋｅｙ」「ｉｔｅｍ」「ｋｅｙｗｏｒｄ」「ｎｕｍｂｅｒ」の属性その他ここでは説明しない多数の属性を用いる事が可能である。この内、「ｕｓｅｒ」の属性は、＜ａｍｆ＞タグにより挿入するデータを作成した者、すなわち、データ被引用者１２をＩＤにより指定するものである。すなわち、ＩＤがｙａｍａｄａのデータ被引用者１２からデータを引用する場合には、図１１に示す本文欄への記入内容の例の上から６行目，８行目及び１２行目のように、ｕｓｅｒ＝“ｙａｍａｄａ”と書する。また、「ｃｋｅｙ」の属性は、上記「ｕｓｅｒ」の属性とともに用いられ、上記「ｕｓｅｒ」の属性により指定された者が作成した全てのデータの内のいずれか一つをＩＤにより指定するものである。すなわち、前記の通り、データ引用者１１が図４に示す新規文書作成画面においてウェブページ新規追加ボタンをクリックしてデータ１５を記憶手段５に入力する際に、該データ１５にはサーバー４によりそれぞれ各データ引用者１１毎にデータ１５に一意にＩＤが付与されるが、このデータ１５のＩＤを「ｃｋｅｙ」により指定する事により、上記「ｕｓｅｒ」の属性により指定された者が作成したデータの内、どのデータを引用するかを指定する。すなわち、ＩＤがｙａｍａｄａのデータ被引用者１２により作成されたデータの中から、ＩＤが１２３４の被引用データ１７からデータを引用する場合には、図１１に示す本文欄への記入内容の例の上から６行目，８行目及び１２行目のように、ｕｓｅｒ＝“ｙａｍａｄａ”に続けてｃｋｅｙ＝“１２３４“と書する。また、「ｉｔｅｍ」の属性は、他の「ｕｓｅｒ」「ｃｋｅｙ」等の属性により特定されたデータの内、どの項目のデータを引用するかを項目名により指定するものである。すなわち、本システム１上でウェブページのデータを作成する者は、上記図４に示す新規文書作成画面においてタイトル，本文，概要及び添付ファイル等の各欄毎に必要事項を記入するが、データ引用者１１は、データ被引用者１２が作成した被引用データ１７からこれらの各欄への記入事項の単位で引用する対象を選択する事が可能であり、例えば、引用する対象の項目がタイトル欄に記入されたものである場合は、上記図１１に示す本文欄への記入内容の例の上から６行目のようにｓｕｂｊｅｃｔとし、引用する対象の項目が本文欄に記入されたものである場合は、上記図１１に示す本文欄への記入内容の例の上から８行目のようにｂｏｄｙとし、引用する対象の項目が概要欄に記入されたものである場合はｓｕｍｍａｒｙとする。また、引用する対象の項目が添付ファイル欄に記入された事により記憶手段５内に入力されたファイルであって、このファイルの内容をウェブページ上に表示する場合はｄａｔａとし（特に、表示するファイルが画像のデータである場合には、ｉｍａｇｅとしてもよい）、また、引用する対象の項目が添付ファイル欄に記入された事により記憶手段５内に入力されたファイルであって、このファイルをウェブページ上からダウンロード可能とする場合は、上記図１１に示す本文欄への記入内容の例の上から１２行目のように、ｄｏｗｎｌｏａｄとする。また、上記図４に示す新規文書作成画面上の各欄と対応するものではないが、一番最近に更新された事項を引用する場合はｕｐｄａｔｅとし、また逆に、一番古くに作成された事項を引用する場合はｒｅｇｄａｔｅとする。
【００２６】
このように、上記＜ａｍｆ＞タグとともに上記の「ｕｓｅｒ」「ｃｋｅｙ」「ｉｔｅｍ」の属性を指定する事により、データ引用者１１は、引用データ１６の中にデータ被引用者１２が作成した被引用データ１７を指定して引用する事ができるが、この他にも、本システム１では、上記の属性を用いて引用する相手のデータを具体的かつ一意に指定して引用するのではなく、特定の条件による検索を指定し、その検索結果のデータを引用する事ができる。すなわち、上記＜ａｍｆ＞タグとともに「ｋｅｙｗｏｒｄ」「ｎｕｍｂｅｒ」「ｉｔｅｍ」及び「ｕｓｅｒ」を属性として用いる事により、データ引用者１１がキーワードとして指定した言葉を含むウェブページのデータをサーバー４が検索及び抽出し、そのウェブページのデータを引用データ１６内に引用する事ができる。すなわち、「ｋｅｙｗｏｒｄ」の属性は、この「ｋｅｙｗｏｒｄ」の属性により指定されたキーワードを記憶手段５内に入力されたデータ１５の中からサーバー４により検索及び抽出するものである。このため、記憶手段５内に入力されたデータ１５の中から○△□というキーワードを含むものを引用する場合には、図１１に示す本文欄への記入内容の例の上から１６乃至２０行目のように、ｋｅｙｗｏｒｄ＝“○△□”と書する。また、「ｎｕｍｂｅｒ」の属性は、上記「ｋｅｙｗｏｒｄ」の属性とともに用いられ、上記「ｋｅｙｗｏｒｄ」の属性により検索及び抽出されたデータとして複数のものが該当する場合に、これら複数のデータの中で上記のキーワードにより相応しいものとサーバー４によりなされたものから順番に１，２，３・・・と通して関連付けられるものを指定するものである。すなわち、図１１に示す本文欄への記入内容の例の上から１６行目のように、ｋｅｙｗｏｒｄ＝“○△□”に続けてｎｕｍｂｅｒ＝“１”と書した場合には、サーバー４は、記憶手段５内のデータであって中にキーワードである○△□を含み、かつ、サーバー４が該キーワードで検索した結果、予めシステム管理者１３により定められた基準（例えば、そのキーワードの出現頻度）により一番関連性が高いと判断したデータをこの＜ａｍｆ＞タグの箇所に挿入する。同様に、図１１に示す本文欄への記入内容の例の上から２０行目のように、ｋｅｙｗｏｒｄ＝“○△□”に続けてｎｕｍｂｅｒ＝“５”と書した場合には、サーバー４は、この＜ａｍｆ＞タグの箇所に、記憶手段５内のデータであって中にキーワードである○△□を含み、かつ、サーバー４が該キーワードで検索した結果５番目に関連性が高いと判断したデータを挿入する。なお、ｎｕｍｂｅｒの属性の指定が無い場合（いわば、デフォルトの場合）には、ｎｕｍｂｅｒ＝“１”を指定したものとして取り扱う。また、「ｉｔｅｍ」「ｕｓｅｒ」の属性は、上記の説明のものと同様の役割をするものであって、「ｉｔｅｍ」を指定することにより、上記のキーワードを含んで指定された関連性であるデータの中から、タイトル，本文，概要及び添付ファイル等の各項目の内、何れの項目のデータを引用するかを項目名により指定することができ、「ｕｓｅｒ」を指定することにより、検索する範囲を特定の者が作成したデータのみに限定することができる。なお、このように「ｋｅｙｗｏｒｄ」と「ｎｕｍｂｅｒ」の属性を共に同時に使うことによって、検索結果のデータをキーワードとの関連性の高さにより特定し、該検索結果のデータを＜ａｍｆ＞タグの箇所に挿入することができるが、ここでは記載しない属性を指定することによって更に新たな方法により検索を可能としても良い。また、この出力する検索結果のデータを、任意の順序（例えば、時系列順や、検索結果のデータの冒頭の文字のアスキーコード順等）により並べられて（ソートされて）＜ａｍｆ＞タグの箇所に挿入する属性を設定しても良く、また、この並べる（ソートする）順序をランダムなものとする属性を設定しても良い。以上のように＜ａｍｆ＞タグを用いて図４に示す新規文書作成画面の本文欄内に記入をし、また、その他この図４に示す新規文書作成画面上の各欄に必要事項を、上述の通常の新規なウェブページ作成時と同様に記入を行い、引用データ１６の作成が完了して公開する場合には、上述のデータ１５を新規に作成した場合と同様に、データ引用者１１はウェブページ新規追加ボタンをクリックすることにより、この新規に作成したウェブページのデータ１５は、記憶手段５に入力される。なお、サーバー４は、データ１５を記憶手段５に入力する際に、該データ１５のＩＤや時間等の必要事項を記録するとともに、図６に示す既存文書一覧画面のウェブページのデータを記憶手段５よりコンピュータ２に出力し、該コンピュータ２は既存文書一覧画面のウェブページを表示する。なお、この図６に示す既存文書一覧画面のウェブページは、データ引用者１１が作成した一覧を示すものであるが、上記の＜ａｍｆ＞タグを用いることにより、該データ引用者１１が作成したデータ１５（及び引用データ１６）が他人に引用されることもあることから、このように該データ引用者１１が作成したデータ（及び引用データ１６）が引用されてできた他人のデータの一覧として、既存被引用文献一覧画面のウェブページを作成しても良い。この既存被引用文献一覧画面のウェブページは、図示しないが、このデータ引用者１１のデータ１５（及び引用データ１６）を引用して作成されたデータを一覧する表が表示されるものであり、引用する者のＩＤと、データのタイトルと、本文（の一部）と、作成日及び最終更新日と、更新回数と、が表示されるものであって、特に上記データのタイトルには、そのデータによるウェブページへのリンクが形成されるものであっても良い。
【００２７】
このように、データ引用者１１は、新規文書作成画面において、例えば本文欄内に図１１に示すようなｈｔｍｌ言語等及び上記本システム１独自のタグを用いた文書を記入して引用データ１６を作成し、この引用データ１６は、サーバー４の動作により該引用データ１６を記憶手段５に入力される。そして、データ作成者１１やデータ被引用者１２や第三者であるデータ請求者１４等の本システム１に参加する者或いは外部の者からのＵＲＩの入力やリンクのクリック等によりこの引用データ１６が請求された場合には、サーバー４は上述の図７及び図１２に示すように動作する。すなわち、先ずサーバー４は、データの請求を受けることにより動作を開始し（ステップＳｔ１）、この請求されたデータがデータ引用者１１やデータ被引用者１２等の該システム１に参加する者により作成されたデータ（データ１５又は引用データ１６）であるか否かを判断する（ステップＳｔ２）。この判断により、請求されたデータが本システム１の参加者により作成されたものではない場合には、このデータの請求を図示しない他のサーバーに送信し、この請求されたデータに関するサーバー４の動作は終了し（ステップＳｔ３）、次のデータの請求への待機状態となる。また、この請求されたデータが本システム１に参加する者により作成されたものであれば、このデータが本システム１に参加する者のうちの誰により作成された者であるかを特定する（ステップＳｔ４）。そして、このデータが本システム１に参加する者（データ引用者１１とする）により作成された場合には、このデータを記憶手段５からサーバー４に出力し（ステップＳｔ５）、このデータがデータ作成者１１により作成された際に、上記図４の属性欄のチェックボックスにチェックマークを付けない事によりこのデータ（データ１５又は引用データ１６）の公開を不許可されたものでないか、すなわち、データ引用者１１が公開に同意しているかを判断する（ステップＳｔ６）。ここで、データ引用者１１が公開に同意していない場合には、サーバー４は、このデータ（データ１５又は引用データ１６）の請求者がデータ引用者１１自身でないかを判断し（ステップＳｔ７）、データ（データ１５又は引用データ１６）の請求者とデータ引用者１１が異なる者である場合には、図示しない該データ（データ１５又は引用データ１６）のウェブページは表示できない旨等のエラー表示等をウェブページのデータを出力し、このデータ（データ１５又は引用データ１６）の請求についてのサーバー４の動作を終了する（ステップＳｔ８）。そして、このデータ（データ１５又は引用データ１６）が公開を許可されたものである場合（公開されることについて同意されている場合）、或いは、データ（データ１５又は引用データ１６）の請求者がデータ引用者１１自身である場合（これは、例えばデータ引用者１１が自身のウェブページの表示を確認する場合等が該当する）には、サーバー４は、このデータがデータ１５では無い事（すなわち、このデータが、内部に後述する＜ａｍｆ＞タグが含まれている事）を判断する（ステップＳｔ９）。すなわち、このデータが、データ引用者１１により作成されて他の者（データ被引用者１２）により作成されたデータ（被引用データ１７）を特定して引用するものであるか、すなわち、該引用データ１６内に上記の＜ａｍｆ＞タグが含まれているか否か（該引用データ１６が、上述のデータ１５では無い事）を判断する。なお、このデータがデータ１５である場合のサーバー４の以後の動作に付いては前述の通りである。そして、このデータが＜ａｍｆ＞タグを含む引用データ１６である場合には、図１２に示すように、サーバー４は該＜ａｍｆ＞タグとともに用いられている属性に、＜ｋｅｙｗｏｒｄ＞が含まれているか否かを判断する（ステップＳｔ１２）。この属性が＜ｋｅｙｗｏｒｄ＞を含まないものである場合には、記憶手段５内に設けられた上述の引用管理テーブルから引用許諾データを出力し（ステップＳｔ１３）、この＜ｕｓｅｒ＞により指定されているＩＤの者（データ被引用者１２）が、この引用データ１６を作成した上述のデータ引用者１１からの引用の申し込みに対して許可（同意）をしているか否かを判断する（ステップＳｔ１４）。ここで、データ引用者１１が引用の申し込みに対して許可（同意）していない場合には、サーバー４はこの引用データ１６の請求者がデータ引用者１１自身でないかを判断し（ステップＳｔ１５）、引用データ１６の請求者とデータ引用者１１が異なる者である場合には、図示しない該引用データ１６のウェブページは表示できない旨などのエラー表示等を行い、該引用データ１６の請求についてのサーバー４の動作を終了する（ステップＳｔ１６）。そして、サーバー４が該引用許諾データによりデータ被引用者１２がデータ引用者１１に対して引用される事について許可していると判断した場合、或いは、引用データ１６の請求者がデータ引用者１１自身である場合（これは、例えばデータ引用者１１が自身のウェブページの表示を確認する場合等が該当する）には、上記＜ａｍｆ＞タグ及び＜ｕｓｅｒ＞の属性とともに用いられている＜ｃｋｅｙ＞及び＜ｉｔｅｍ＞の属性に基づくデータ、すなわち、＜ｕｓｅｒ＞の属性により指定されたデータ被引用者１２が作成したデータであって、＜ｃｋｅｙ＞の属性により指定された被引用データ１７の内、＜ｉｔｅｍ＞の属性により指定された項目のデータを記憶手段５から出力し（ステップＳｔ１７）、サーバー４はこの＜ａｍｆ＞タグにより出力された被引用データ１７を、引用データ１６内の該＜ａｍｆ＞タグの箇所に挿入し（ステップＳｔ１８）、外部にあるコンピュータ２，３，６へと出力し（ステップＳｔ１９）、該データ１６の請求についてのサーバー４の動作を終了する（ステップＳｔ２０）。また、上記の＜ａｍｆ＞タグとともに用いられている属性に＜ｋｅｙｗｏｒｄ＞が含まれている場合には、サーバー４は、該＜ｋｅｙｗｏｒｄ＞の属性により指定されたキーワードにより、予めシステム管理者１３により定められた方法により本システム１の記憶手段５内に入力された全てのデータを検索及び抽出し、該キーワードに該当するデータが複数該当する場合には、それぞれのデータについて予めシステム管理者１３により定められた基準（優先度やそのキーワードの出現頻度等）により一番関連性が高いと判断した被引用データ１７を記憶手段５から出力する。なお、この＜ｋｅｙｗｏｒｄ＞の属性とともに＜ｎｕｍｂｅｒ＞の属性が指定されている場合には、サーバー４は、上記のシステム管理者１３により定められた基準により、その指定された数値の関連性の高さを有する被引用データ１７を記憶手段５より出力する。そして、これらの属性により出力された被引用データ１７のうち、ｕｓｅｒ及びｉｔｅｍの属性により指定された項目のデータを出力する（ステップＳｔ２１）。そして、このように出力されたデータ（被引用データ１７）に対応する引用許諾データを記憶手段５内に設けられた上述の引用管理テーブルを出力し（ステップＳｔ２２）、この出力されたデータを作成した者（データ被引用者１２）が、この引用データ１６を作成した上述のデータ引用者１１からの引用の申し込みに対して許可（同意）をしているか否かを判断する（ステップＳｔ２３）。ここで、データ引用者１１が引用の申し込みに対して許可（同意）していない場合には、サーバー４はこの引用データ１６の請求者がデータ引用者１１自身でないかを判断し（ステップＳｔ２４）、引用データ１６の請求者とデータ引用者１１が異なる者である場合には、図示しない該引用データ１６のウェブページは表示できない旨などのエラー表示等を行い、該引用データ１６の請求についてのサーバー４の動作を終了する（ステップＳｔ２５）。そして、サーバー４が該引用許諾データによりデータ被引用者１２がデータ引用者１１に対して引用される事について許可していると判断した場合、或いは、引用データ１６の請求者がデータ引用者１１自身である場合には、サーバー４はこの＜ａｍｆ＞タグにより出力された被引用データ１７を、引用データ１６内の該＜ａｍｆ＞タグの箇所に挿入し（ステップＳｔ１８）、外部にあるコンピュータ２，３，６へと出力し（ステップＳｔ１９）、該データ１６の請求についてのサーバー４の動作を終了する（ステップＳｔ２０）。そして、コンピュータ２，３，６はこの出力された文書のデータに基づき、図１３に示すようなウェブページを表示する。
【００２８】
すなわち、この図１３に示すウェブページは、上記図７に示すウェブページとは一見同じ外観を有するものであるが、上記図７に示すウェブページが、データ引用者１１自身が作成したデータ１５をそのまま表示されるのに対し、図１３に示すウェブページは、データ引用者１１が作成した引用データ１６（の＜ａｍｆ＞タグ）に基づいて、サーバー４により、引用データ１６の出力時にデータ引用者１１が指定した被引用データ１７が挿入されて出力がされる。従って、引用データ１６には、該引用データ１６が上記コンピュータ２，３，６に出力される時点での（より正確には、サーバー４が、引用データ１６内の＜ａｍｆ＞タグに基づいて被引用データ１７を記憶手段から出力した時点での）記憶手段５内の被引用データ１７が挿入されるものとされている事から、データ引用者１１が＜ａｍｆ＞タグを用いた引用データ１６を作成した場合には、引用データ１６が出力される時に該引用データ１６に被引用データ１７が挿入される事から、データ被引用者１７が被引用データを修正や変更した場合にも、この修正や変更された被引用データ１７が引用データ１６内に表示される。これに対し、例えばデータ引用者１１がデータ被引用者１２の被引用データ１７に基づいてデータ１５を作成したような場合、すなわち、＜ａｍｆ＞タグを用いないで、該被引用データ１７のデータをそのままコピーして図４に示す新規文書作成画面の本文欄内にペーストしてデータ１５を作成したような場合には、その後に該被引用データ１７がデータ被引用者１２の手により修正や更新された際には、データ引用者１１がデータ１５を改めて作成しなければ、当然、そのデータ被引用者１２による修正や更新がデータ１５に反映しない。また、この引用データ１６を図４に示す新規文書作成画面より作成する際に、属性欄により他人に公開するか否かを選択する事ができる事から、公開しないよう選択したウェブページの引用データ１６を作成する事により、他人に見られ無いデータ引用者１１自身が必要とする情報を表示するウェブページを作成する事ができる。また、データ被引用者１２は、自分が作成した被引用データ１７を引用した引用データ１６の内容が相応しくないと判断した場合等には、図９に示す引用管理画面のウェブページを操作する事により、データ引用者１６への引用の許可を削除する事ができる。このように引用の許可を削除する事により、削除後に引用データ１６の出力がサーバー４に請求された場合には、この引用データ１６内に被引用データ１７を挿入する事に付いての許可の有無を引用管理テーブルに確認する事により、許可がされていないとしてサーバー４が判断する事から、該引用データ１６を請求した者に対しては引用データ１６内に被引用データ１７が挿入されて出力される事が無くなる。また、データ被引用者１２がデータ引用者１１への引用の許諾を削除するのではなく、一時的に該許諾を無効にするような場合には、データ被引用者１２は図９に示す引用管理画面のウェブページを開き、該ウェブページを構成する表内の引用を許諾した相手のＩＤの表示に形成されたリンクをクリックする事により、引用変更画面のウェブページを開く。この引用変更画面のウェブページは、図１５に示すものであって、データ被引用者１２（この図１５中ではＺＺＺＺと表示）の引用を編集する旨の表示がされ、また中央には、相手のＩＤ（すなわち、データ引用者１１）を表示する欄と、引用の方法をラジオボタンにより選択する欄と、備考の欄と、を備えた表が表示されている。また、上記表の下方には、メッセージ欄と「更新」の文字が表示されてなる更新ボタンが表示されている。このような図１５に示す引用変更画面のウェブページを開いたデータ被引用者１２は、上記表の引用の方法の項目にラジオボタンとともに表示された３つの選択肢、すなわち、この図に示すように「この引用を有効にする」「この引用を無効にする」或いは「この相手からのメッセージを拒否する」の３つの選択肢の中から適宜一つを選んでクリックし（この図中では「この引用を有効にする」を選択した状態を示す）、更新ボタンをクリックする事で上記データ引用者１１に対する引用の状態を変更する事ができる。すなわち、上記の「この引用を有効にする」「この引用を無効にする」或いは「この相手からのメッセージを拒否する」の３つの選択肢はそれぞれ上記の「確立」「未確立」或いは「着信拒否」の引用状態にそれぞれ対応するものである。このように引用の状態を変更して更新ボタンをクリックした場合には、再び図９に示す上記引用管理画面のウェブページが表示されるが、該引用管理画面内の表内に表示される引用状態の項目は、上記の引用変更画面のウェブページの３つのラジオボタンにそれぞれ対応するものが表示される。なお、上記図１５に示す引用変更画面のウェブページ上には、備考欄，メッセージ欄及び幾つかのリンクとログアウトリンクが表示されるが、これらは何れの上述のものと同じものである事から説明は省略する。なお、このようにデータ被引用者１２がデータ引用者１１に対する被引用データ１７の引用を削除した場合や、データ引用者１１が、被引用データ１７を作成したデータ被引用者１２から引用の許可を得る事無く該被引用データ１７を引用した引用データ１６を作成した記憶手段５に入力した場合であって、該引用データ１６を出力するようにサーバー４へ請求がされた場合には、該被引用データ１７を空白として出力するものとしてもよく、或いは、不適当なデータを請求するものとして図示しないエラー表示のウェブページのデータが出力されるものとしても良い。
【００２９】
なお、以上のようにデータ引用者１１はデータ１５や引用データ１６を作成する事ができるが、このようにして既に作成したデータ１５や引用データ１６の内容について修正等のために編集する事もできる。この編集をする際には、データ引用者１１は図２に示すログイン画面のウェブページからログインして図３に示すユーザー管理画面のウェブページを開き、「既存文書を編集する（既存文書一覧画面へ）」の文字とともに形成されてなるリンクをクリックし、図６に示す既存文書一覧画面のウェブページを開く。この図６に示す既存文書一覧画面のウェブページには、データ引用者１１がこれまでに作成したデータ１５及び引用データ１６の一覧が表で表示されており、この表の中から編集する対象であるデータ１５又は引用データ１６のタイトル欄内のタイトルをクリックし、図１４に示す既存文書編集画面のウェブページを開く。この既存文書編集画面のウェブページは、上述の図４に示す新規文書作成画面のウェブページとほぼ同じ構成とされている。すなわち、既存文書編集画面のウェブページ上には、新規文書作成画面のウェブページと同じくタイトル欄，本文欄，概要欄，添付ファイル欄，ジャンル欄，キーワード欄，公開ハンドル名欄，親ウェブページ欄及び属性欄が設けられるとともに、ログアウトリンクと、各種リンクにより構成されており、また、新規文書作成画面のウェブページを構成するウェブページ新規追加ボタンの代わりに、「このウェブページを編集完了」と書かれたウェブページ編集完了ボタンが形成されている。なお、この図１４に示すように、既存文書一覧画面のウェブページからタイトル欄をクリックすることにより既存文書編集画面のウェブページを開いた時には、各欄内には、先に新規文書作成画面のウェブページ（又は、既に一度以上この既存文書編集画面によりデータ１５又は引用データ１６を編集しているのであれば、既存文書編集画面のウェブページ）において入力していた内容を表示するものとされている。これら各欄，リンク及びボタンの機能も上述の図４に示す新規文書作成画面のウェブページのそれと同じものであって、各欄に表示されている編集前のものに適宜手を加えて編集し、ウェブページ編集完了ボタンをクリックする事により、データ１５又は引用データ１６の編集を終えて、編集を終えた新たなデータ１５又は引用データ１６をサーバー４を介して記憶手段５に入力する事ができる。
【００３０】
なお、データ引用者１１が引用データ１６において引用する範囲は、上述の本システム１では、被引用データ１７の中の各タイトル欄，本文欄，概要欄，添付ファイル欄，ジャンル欄，公開ハンドル名欄の単位で引用する事とされているが、引用する範囲をより細かく設定する事ができるものとしても良い。すなわち、各タイトル欄，本文欄，概要欄，添付ファイル欄，ジャンル欄，公開ハンドル名欄の単位ではなく、例えば本文欄から引用する事を指定すると同時に、該本文欄の中の特定の箇所、例えば、冒頭から何文字目から何文字目までを引用を許可する範囲として文字数を指定する事ができるものとし、この引用の範囲を指定するために新たに＜ａｍｆ＞タグとともに使用する属性を規定しても良い。また、上述の本システム１では、データ被引用者１２は、データ引用者１１に対してデータ被引用者１２が作成した被引用データ１７の全てについて引用の許可（同意）をするものとされているが、上述の通り、被引用データ１７の何れか一部に限定して許可をする事ができるものとしても良く、さらに、この引用を許可した被引用データ１７の内、タイトル欄，本文欄，概要欄，添付ファイル欄，ジャンル欄，公開ハンドル名欄の単位の何れか一部の欄に限定して許可をする事ができるものとしても良く、さらに、これらの各欄の内の一部、例えば本文欄のみに付いて引用する事を許可するとともに、該本文欄の中の特定の箇所、例えば、冒頭から何文字目から何文字目までを引用を許可する範囲として文字数を指定する事ができるものとしても良い。この場合には、このような許可の範囲を指定するために引用管理テーブル及び引用許諾データを適宜拡張（指定するパラメータの数を増やす）しても良い。また、以上に述べた実施例では、同一のシステム管理者１３がサーバー４と記憶手段５とを管理するものとしたが、これらサーバー４と記憶手段５を管理する者はそれぞれ別々の者であっても良い。すなわち、本システム１に参加する上記データ引用者１１及びデータ被引用者１２が、例えば、それぞれが作成した引用データ１６及び被引用データ１７を、それぞれが契約するプロバイダーにより管理されて提供される記憶手段や、或いは、データ引用者１１及びデータ被引用者１２が自身で管理するサーバーとともに設置する記憶手段に入力しておき、これらの記憶手段から引用データ１６がデータ請求者１４による請求により出力される際に、サーバー４が必要な被引用データ１７が引用データ１６内に挿入した上でデータ請求者１４のもとに出力されるものとしても良い。この場合には、サーバー４は、引用データ１６及び被引用データ１７がインターネット７上で何処の記憶手段に入力されているかという情報さえ予めサーバー４が入力されていれば、本システム１と同様に動作するが、このようにサーバー４と記憶手段５を別々の者が管理する場合の引用データ１６及び被引用データ１７を何れの記憶手段に入力したかをサーバー４に通知する手段に付いては説明を省略する。さらに、以上に述べた実施例では、サーバー４を介して記憶手段５に入出力されるデータ１５，引用データ１６及び被引用データ１７は、何れもウェブページの表示に用いられるデータであって、被引用データ１７のウェブページの表示が引用データ１６のウェブページの表示の中に挿入されて表示されるものとされているが、本発明での引用するデータ及び引用されるデータは、上述の通り、これらデータ１５，引用データ１６及び被引用データ１７のようなウェブページ上に表示される文書のデータとは限らない。すなわち、ワードプロセッサやエディタ等のソフトウェアで扱われるテキストからなる文書データ，音声データや画像データ等が互いに挿入される構成とされても良い。
【００３１】
なお、データ引用者１１がデータ被引用者１２に対して引用の申し込みをする場合等には、上述のようにＩＤにより申し込み相手を特定する事から、データ引用者１１はデータ被引用者１２の本システム１上でのＩＤを知る必要がある。このため、本システム１には、データ引用者１１やデータ被引用者１２等の本システム１に参加する全ての者のウェブページ（特に、それぞれの者のウェブサイトの本来の意味でのホームページ）を分かり易く表示する、いわゆるポータルサイトのウェブページが用意されている。このポータルサイトのウェブページはシステム管理者１３により作成されて記憶手段５に入力されているものであって、サーバー４に入力されたプログラムにより適宜内容が自動的に更新されるものであり、図１６に示すものとされている。すなわち、このウェブページ上には、図１６中に「ＡＡＡＡポータルサイト」のように示すこのポータルサイトのウェブページのタイトルと、「ジャンルで探す」の文字とともに表示される区域と、「キーワードで探す」の文字とともに表示される区域と、「新しく登録された人」の文字とともに標示される区域と、から構成されている。このうち、「ジャンルで探す」の文字とともに標示される区域は、本システム１に参加する者が上記データ１５，引用データ１６及び被引用データ１７を図４に示す新規文書作成画面のウェブページ等で作成時に入力したジャンル毎に分類した表示であって、これらのジャンル毎にデータ１５，引用データ１６及び被引用データ１７のウェブページを分類して表示する図示しないウェブページへのリンクが形成されてなる。また、「キーワードで探す」の文字とともに標示される区域には、このウェブページを閲覧する者が適宜文字を入力する事ができるテキストボックスと、「検索」の文字とともに表示されてなる検索ボタンとが表示されており、該テキストボックス内にこのウェブページを閲覧する者が適宜キーワードを入力し、検索ボタンをクリックする事により、本システム１に参加する者が上記データ１５，引用データ１６及び被引用データ１７を図４に示す新規文書作成画面のウェブページ等で作成時に入力したキーワードでサーバー４が検索して見つけられたウェブページの一覧を表示する図示しないウェブページを表示する。また、「新しく登録された人」の文字とともに標示される区域には、この図１６に示すポータルサイトのウェブページを表示した時点より一番近い時点に新たに本システム１に参加した者（データ引用者１１やデータ被引用者１２）の一覧が、該参加した者が作成したウェブページのジャンルや自己紹介等とともに表示されており、該参加した者の名前のところに形成されたリンクをクリックする事により、該参加した者が自己紹介をするウェブページ（上記のホームページ）が表示される。この参加した者が自己紹介をするウェブページは、図１７に示すものであって、中央にはこの参加した者の自己紹介や、これまでに作成したデータ１５又は引用データ１６の数が表示されているとともに、この図１７に示すウェブページを閲覧した者が上記参加した者に対して引用の申し込みとメッセージを送信するためのテキストボックス及び送信の文字とともに表示されるボタンである送信ボタンが表示されている。このため、この図１７に示す本システム１に参加した者に対して、この者が作成したデータに付いて引用を申し込む場合には、このウェブページ上のテキストボックスに適宜引用を申し込む旨を記入した上で送信ボタンをクリックする事により、引用を申し込む引用申込データを送信する事ができる。なお、この送信された引用申込データの効果は、上述の図１０に示す新規引用申込画面のウェブページでの引用申込データの送信と同じものである事から、詳細な説明は省略する。また、本システム１上で作成されたデータ１５及び引用データ１６がデータ請求者１４の請求に応じて記憶手段５より出力される際に、これらデータ１５及び引用データ１６内に本システム１でのデータ引用者１１のＩＤが表示されるバナーのデータが挿入されるものとし、これによりデータ請求者１４に該データ引用者１１のＩＤを知らせるものとしても良い。このバナーの挿入は、本システム１の記憶手段５内へのデータ１５及び引用データ１６の入力の際に自動的になされるものとしても良く、或いは、本システム１に参加するデータ引用者１１及びデータ被引用者１２に対して、予めバナーの画像のデータやリンクのデータをサーバー４又は記憶手段５から呼び出すためのｈｔｍｌ形式のソースを配布することにより、データ引用者１１及びデータ被引用者１２は該ソースを任意にウェブページのデータ内に挿入することができるものとしても良い。このようにバナーの表示を挿入するものとする事により、データ請求者１４は容易にデータ引用者１１のＩＤを知る事ができ、該データ請求者１４は図１０に示す新規引用申込画面を介して、容易に該データ引用者１１に対して引用の申し込みをする事ができる。
【００３２】
なお、上述の本発明の実施の形態に係る本システム１では、本システム１を構成するサーバー４を１台のみ（或いは、サーバー４が複数存在するものの、全てが同一の役割を分散して果たすことから、外部との情報の入出力の関係では実質的に１台）としているが、上述の通り該サーバー４の機能は多岐にわたるものであることから、該サーバー４の役割を１台に集約させること無く、サーバー４を複数用意し、それぞれに機能を分散させるものとしても良い。すなわち、このサーバー４は、外部へ出力するウェブページのデータを構成するする所謂ＷＷＷサーバーとしての機能と、インターネット７との接続の仲立ちとなるプロキシサーバーとしての機能を少なくとも有する点では、インターネットプロバイダー等に設置されているサーバー等と同じであるが、更に上述のように、このサーバー４は、記憶手段５を操作（リモートコントロール）する操作中枢（フロントエンド）としてのデータベースサーバーに類似した役割を果たすと共に、データ引用者１１とデータ被引用者１２との引用申込データ及び引用許諾データの管理や、＜ａｍｆ＞タグに基づいて引用引用データ１６の中に被引用データ１７を挿入するという本システム１独自の機能を有している。したがって、図示は省略するが、このような本システム１独自の構成に対応する機能をするサーバー（以下、引用サーバーという。）を、通常のＷＷＷサーバー及びプロキシサーバー（以下、ＷＷＷサーバー等という。）とは別個に設置し、これら複数台のサーバーが共同して動作することにより、全体として上記本システム１のサーバー４として機能するものとしても良い。なお、この引用サーバーは、上記記憶手段５と一体とされても良く、またこの場合には、記憶手段５は引用サーバーを介してのみインターネット７と接続することができるものとすることにより、記憶手段５に対するセキュリティをより高めることができる。そして、サーバー４をこのようなＷＷＷサーバー等と引用サーバーとからなる構成とした場合には、引用データ１６を含むデータ１５の請求がデータ請求者１４等の外部からされた場合には、この請求は先ず全てＷＷＷサーバー等に入力され、この請求のデータは引用サーバーに出力され、引用サーバーは入力された該請求に応じて必要なデータ１５を記憶手段５より出力する。そして、このデータ１５が引用データ１６であるか否か等の上記図７に示す判断を行い、引用データ１６ではない場合には、記憶手段５より出力されたデータ１５をそのままＷＷＷサーバー等に出力し、該ＷＷＷサーバー等はデータ請求者１４に出力する。また、引用サーバーが、データ１５が上記図７に示す判断において引用データ１６であると判断した場合には、上記図１２に示すように、適宜被引用データ１７を引用データ１６に挿入した上で、上記ＷＷＷサーバーに被引用データ１７が挿入された引用データ１６を出力し、該ＷＷＷサーバーは入力された被引用データ１７が挿入された引用データ１６をデータ請求者１４等の外部に出力をする。なお、このようにデータ１５及び被引用データ１７が挿入された引用データ１６のデータ請求者１４等の外部への出力は全てＷＷＷサーバーを介して行うものとしても良いが、データ１５をデータ請求者１４等の外部に出力する場合にのみＷＷＷサーバーにより出力されるものとし、被引用データ１７が挿入された引用データ１６を出力する際には、上記引用サーバーから直接データ請求者１４等の外部へ出力するものとしても良い。さらに、同一の機能を有するサーバーを複数に分けて分散して配置することにより、この本システム１の冗長性を高めることもできる。
【００３３】
また、以上の説明では、データ請求者１４を本システム１に参加する者（本システム１に予め登録がなされた者）としたが、このようにデータ１５及び被引用データ１６を請求する者としては、本システム１とは全く関連がない第三者（本システム１への登録等がなされていない者であり、以下、第三者という。）を含んでも良い。また、このような第三者によりデータ１５及び引用データ１６が請求された場合にも、サーバー４（上記のＷＷＷサーバー等及び引用サーバーを含む）は、該第三者に対して、データ請求者１４と同様にデータ１５及び引用データ１６を出力するものとしても良いが、これらデータ請求者１４と第三者に対して出力されるデータに差異を設けても良い。すなわち、請求された（外部へ出力する）データが、サーバー４が図７に示す判断により外部への出力に同意された引用データ１６ではないデータ１５とされた場合には、そのまま第三者に対して出力するものの、請求されたデータが、サーバー４が図７に示す判断により引用データ１６であるとされた場合には、外部への出力を行わないものとしても良い（言い換えれば、引用データ１６は、本システム１に参加する者のみが閲覧を許可されるものとしても良い）。なお、このように本システム１に参加する者とそうではない者（第三者）との引用データの閲覧の許可についても、上記の図４に示す新規文書作成画面の属性欄の引用の許可のチェックボックスのように、データ引用者１１により許可或いは不許可が決定できるものとしても良い。なお、このように第三者に対しての引用データ１６の制限を設けることにより、本システム１に参加する者同士により形成されるコミュニティの一体感を高めることなどが期待できる。
【００３４】
なお、上記の図４に示す新規文書作成画面の本文欄への記入内容の例として、図５及び図１１を示しているが、これら記入内容の例からも分かるように、該本文欄には本来のＷ３Ｃが規定するｈｔｍｌ言語等によるウェブページの記載方法とは異なり、＜ｈｔｍｌ＞タグ，＜ｈｅａｄ＞タグ及び＜ｂｏｄｙ＞タグの記載を省略している。特に、図１１に示すように、引用データ１６を作成するために＜ａｍｆ＞タグを用いる場合には、改行のための＜ｂｒ＞タグも省略している。これらの省略されたタグは、適宜記憶手段５からサーバー４へと出力された際に、サーバー４により補われ、このサーバー４により必要なタグが補われた本文のデータがウェブページのデータとして外部へ（データ請求者１４へ）出力がされる。したがって、本システム１においてウェブページのデータ１５（引用データ１６及び被引用データ１６を含む）を作成するデータ引用者１１及びデータ被引用者１２は、通常よりも容易にウェブページのデータを作成することができる。
【００３５】
また、本システム１においては、システム管理者１３自身が本システム１上でのデータ引用者１１又はデータ被引用者１２になることを制限するものではない。特に、システム管理者１３が、例えば、最新のニュース，スポーツ中継，天気予報，株価情報，テレビの番組情報，新譜紹介等の本システム１に参加するデータ引用者１１等が引用すると便利な被引用データ１７を多数用意することができ、本システム１に参加するデータ引用者１１等はこれらの用意された被引用データ１７から適宜自分に興味のあるデータを選択して引用データ１６内に引用することにより、常に自分の必要とするデータを表示するウェブページを作ることができる。なお、特に、このような他人への公開を目的とするウェブページではなく、自分の必要とする情報を表示する引用データ１６のウェブページについては、図４に示す新規文書作成画面のウェブページ上において属性欄にチェックをしないことにより、他への公開を行わないものとすることもできる
【図面の簡単な説明】
【００３６】
【図１】本発明の実施の形態に係るデータ引用システムの構成を示す模式図である。
【図２】本発明の実施の形態に係るデータ引用システムのログイン画面を示す模式図である。
【図３】本発明の実施の形態に係るデータ引用システムのユーザー管理画面を示す模式図である。
【図４】本発明の実施の形態に係るデータ引用システムの新規文書作成画面を示す模式図である。
【図５】本発明の実施の形態に係るデータ引用システムの新規文書作成画面に記入するデータの一例を示す図である。
【図６】本発明の実施の形態に係るデータ引用システムの動作を示すフローチャートである。
【図７】本発明の実施の形態に係るデータ引用システムの既存文書一覧画面を示す模式図である。
【図８】本発明の実施の形態に係るデータ引用システムにおいて作成されたデータのウェブページ上で表示を示す模式図である。
【図９】本発明の実施の形態に係るデータ引用システムの引用管理画面を示す模式図である。
【図１０】本発明の実施の形態に係るデータ引用システムの新規引用申込画面を示す模式図である。
【図１１】本発明の実施の形態に係るデータ引用システムの新規文書作成画面に記入する引用データの一例を示す図である。
【図１２】本発明の実施の形態に係るデータ引用システムの動作を示すフローチャートである。
【図１３】本発明の実施の形態に係るデータ引用システムにおいて作成された引用データのウェブページ上での表示を示す模式図である。
【図１４】本発明の実施の形態に係るデータ引用システムの既存文書編集画面を示す模式図である。
【図１５】本発明の実施の形態に係るデータ引用システムの引用変更画面を示す模式図である。
【図１６】本発明の実施の形態に係るデータ引用システムのポータルサイトの画面を示す模式図である。
【図１７】本発明の実施の形態に係るデータ引用システムに参加する者が自己紹介をする画面を示す模式図である。
【符号の説明】
【００３７】
１    データ引用システム
２    コンピュータ
３    コンピュータ
４    サーバー
５    記憶手段
６    コンピュータ
７    インターネット
１１    データ引用者
１２    データ被引用者
１４    データ請求者
１５    データ
１６    引用データ
１７    被引用データ
【図１】
2006120016.tif 000003
【図２】
2006120016.tif 000004
【図３】
2006120016.tif 000005
【図４】
2006120016.tif 000006
【図５】
2006120016.tif 000007
【図６】
2006120016.tif 000008
【図７】
2006120016.tif 000009
【図８】
2006120016.tif 000010
【図９】
2006120016.tif 000011
【図１０】
2006120016.tif 000012
【図１１】
2006120016.tif 000013
【図１２】
2006120016.tif 000014
【図１３】
2006120016.tif 000015
【図１４】
2006120016.tif 000016
【図１５】
2006120016.tif 000017
【図１６】
2006120016.tif 000018
【図１７】
2006120016.tif 000019